(57)【特許請求の範囲】
【請求項１】
遊技領域に遊技媒体を発射することにより遊技を行う遊技機であって、
遊技盤と、
前記遊技領域を囲むように前記遊技盤に取付けられ、遊技媒体を案内するレール部材と、
遊技媒体が衝突する被衝突体と、
前記遊技盤に取付けられ、前記被衝突体を前記遊技盤の所定位置に保持する第１保持体と、
前記遊技盤に取付けられた前記第１保持体を保持する第２保持体と、
を備え、
前記レール部材は、
前記遊技盤に固定される固定部と、
前記遊技盤に固定されない部位であって可撓性を有する非固定部と、を備えてなり、
前記非固定部は、前記遊技盤に対し当接可能に設けられる当接部と、前記遊技盤に対し離間して設けられ、当該遊技盤と当接しない離間部とを有し、
前記遊技盤には、前記当接部が当接可能な被当接部が設けられ、
前記当接部は突部であり、
前記被当接部は前記突部が挿入される凹部または孔部であり、
前記レール部材が前記遊技盤に取付けられたときに、前記突部が前記凹部または前記孔部に挿入された状態となり、前記突部が前記凹部または前記孔部に挿入された状態において、前記突部と前記凹部または前記孔部との間に空隙が形成される
ことを特徴とする遊技機。
【発明の詳細な説明】
【技術分野】
【０００１】
本発明は、遊技領域に遊技媒体を発射することにより遊技を行う遊技機に関する。
【背景技術】
【０００２】
遊技機としてのパチンコ遊技機等にあっては、一般的に、盤面板の遊技領域を囲うように取付けられ、打球発射装置により打ち込まれた遊技媒体を案内するレール部材を備えている。
【０００３】
この種の遊技機において、合成樹脂材にて構成されたレール部材の背面側に圧入ピンを複数設け、該圧入ピンを盤面板に設けられた穴に圧入することにより、レール部材を盤面板に取付けたもの等があった（例えば、特許文献１参照）。
【先行技術文献】
【特許文献】
【０００４】
【特許文献１】特開２０１０−１３１４４４号公報
【発明の概要】
【発明が解決しようとする課題】
【０００５】
上記特許文献１に記載の遊技機では、レール部材が圧入ピンにより盤面板に固定されているため、例えば、遊技領域を流下する遊技媒体がレール部材に衝突した際にその衝撃を逃がすことができず、レール部材や圧入ピンに負荷が掛かり、破損する虞があるという問題があった。
【０００６】
本発明は、このような問題点に着目してなされたもので、遊技盤に対してレール部材を破損することがないように取付けることができる遊技機を提供することを目的とする。
【課題を解決するための手段】
【０００７】
請求項１に記載の遊技機は、
遊技領域に遊技媒体を発射することにより遊技を行う遊技機であって、
遊技盤と、
前記遊技領域を囲むように前記遊技盤に取付けられ、遊技媒体を案内するレール部材と、
遊技媒体が衝突する被衝突体と、
前記遊技盤に取付けられ、前記被衝突体を前記遊技盤の所定位置に保持する第１保持体と、
前記遊技盤に取付けられた前記第１保持体を保持する第２保持体と、
を備え、
前記レール部材は、
前記遊技盤に固定される固定部と、
前記遊技盤に固定されない部位であって可撓性を有する非固定部と、を備えてなり、
前記非固定部は、前記遊技盤に対し当接可能に設けられる当接部と、前記遊技盤に対し離間して設けられ、当該遊技盤と当接しない離間部とを有し、
前記遊技盤には、前記当接部が当接可能な被当接部が設けられ、
前記当接部は突部であり、
前記被当接部は前記突部が挿入される凹部または孔部であり、
前記レール部材が前記遊技盤に取付けられたときに、前記突部が前記凹部または前記孔部に挿入された状態となり、前記突部が前記凹部または前記孔部に挿入された状態において、前記突部と前記凹部または前記孔部との間に空隙が形成される
ことを特徴としている。
手段１の遊技機は、
遊技領域（例えば、遊技領域１０）に遊技媒体（例えば、遊技球Ｐ）を発射することにより遊技を行う遊技機（例えば、パチンコ遊技機１）であって、
遊技盤（例えば、遊技盤２、盤面板２００）と、
前記遊技領域を囲むように前記遊技盤に取付けられ、遊技媒体を案内するレール部材（例えば、内レール５０１／第１外レール５０２／第２外レール５０３等）と、
遊技媒体が衝突する被衝突体（例えば、弾性部材６００）と、
前記遊技盤に取付けられ、前記被衝突体を前記遊技盤の所定位置に保持する第１保持体（例えば、弾性部材６００が取付けられた状態で遊技盤２に取付けられるレール飾り枠４１０）と、
前記遊技盤に取付けられた前記第１保持体を保持する第２保持体（例えば、レール飾り枠４１０を押える盤押え金具１６２ａのレール押え片１７４、第２外レール５０３、ガラス扉枠５０）と、
を備え、
前記レール部材は、
前記遊技盤に固定される固定部（例えば、固定部５０４Ｔ，５０４Ｕ）と、
前記遊技盤に固定されない部位であって可撓性を有する非固定部（例えば、非固定部５０５Ａ〜５０５Ｃ）と、を備えてなり、
前記非固定部は、当接部（例えば、突部５０７Ａ〜５０７Ｆ／立壁部５１３）を有し、
前記遊技盤側には、前記当接部が当接可能な被当接部（例えば、凹部２０７Ａ〜２０７Ｆ）が設けられ、
前記レール部材を前記遊技盤に取付けた状態において、前記当接部と前記被当接部との間に空隙が形成される（例えば、突部５０７Ａ〜５０７Ｆが凹部２０７Ａ〜２０７Ｆ内に挿入された際には、突部５０７Ａ〜５０７Ｆの周囲に空隙Ｓが形成される。／立壁部５１３と第３誘導部材ユニット３０２との間に空隙（離間寸法Ｌ５）が形成される。図１４、図１５、図１６参照）
ことを特徴としている。
これらの特徴によれば、遊技媒体がレール部材に衝突したときに、非固定部が撓むことにより衝撃が吸収されることでレール部材の破損を抑制できるとともに、当接部が被当接部に当接することにより非固定部が大きく位置ずれすることが防止されるため、遊技媒体を安定して案内することができる。また、被衝突体を保持する第１保持体が遊技盤に取付けられた状態で第２保持体により保持されることで、第１保持体の安定性が向上するため、被衝突体の位置ずれにより遊技性が損なわれることを抑制できる。
【０００８】
手段２の遊技機は、手段１に記載の遊技機であって、
前記当接部（例えば、突部５０７Ａ〜５０７Ｆ）と前記被当接部（例えば、凹部２０７Ａ〜２０７Ｆ）とのうち一方は突部であり、他方は該突部が挿入される凹部または孔部である（突部５０７Ａ〜５０７Ｆが凹部２０７Ａ〜２０７Ｆに挿入される）
ことを特徴としている。
この特徴によれば、突部が凹部または孔部の内周に当接することにより、非固定部が大きく位置ずれすることが防止される。
【０００９】
手段３の遊技機は、手段１または２に記載の遊技機であって、
前記被当接部は、前記遊技盤（例えば、遊技盤２、盤面板２００）に設けられた構造物（例えば、第３誘導部材ユニット３０２／第１誘導部材ユニット３００／第２誘導部材ユニット３０１等）である
ことを特徴としている。
この特徴によれば、レール部材を被当接部に当接させるだけで済むため、レール部材の構造を簡素化できる。
【００１０】
手段４の遊技機は、手段３に記載の遊技機であって、
前記当接部（例えば、立壁部５１３）と前記構造物（例えば、第３誘導部材ユニット３０２）との間には空隙（例えば、離間寸法Ｌ５）が形成され、遊技媒体（例えば、ファール球Ｐ１）が前記非固定部（例えば、非固定部５０５Ａ）に衝突することで前記当接部が前記構造物に当接する（例えば、ファール球Ｐ１が非固定部５０５Ａに衝突することで立壁部５１３が第３誘導部材ユニット３０２に当接する）
ことを特徴としている。
この特徴によれば、当接部が常に被当接部に当接しないので、摩耗による劣化を抑制できる。
【００１１】
手段５の遊技機は、手段１〜４に記載の遊技機であって、
前記遊技盤（例えば、遊技盤２、盤面板２００）は、構造物（例えば、第３誘導部材ユニット３０２／第１誘導部材ユニット３００／第２誘導部材ユニット３０１／ラベル貼付部５２０を有する第２外レール５０３等）を備え、
前記構造物は、
前記レール部材（例えば、内レール５０１）を取外さなくても前記遊技盤から取外すことができる第１構造物（例えば、第３誘導部材ユニット３０２等）と、
前記レール部材を取外さない限り前記遊技盤から取外すことができない第２構造物（例えば、第２外レール５０３など）と、
を有する（例えば、第３誘導部材ユニット３０２などの第１構造物については、内レール５０１を取外さなくても盤面板２００から容易に取外して交換することができるようにする一方で、不正の対象となるラベルが貼付されるラベル貼付部５２０を有する第２外レール５０３など取外しを困難化したい第２構造物については、レール部材を利用して盤面板２００から取外すことを困難化する。変形例）
ことを特徴としている。
この特徴によれば、第１構造物については容易に交換することができ、第２構造物についてはレール部材を利用して取外しを困難化することができる。
【００１２】
手段６の遊技機は、手段１〜５のいずれかに記載の遊技機であって、
前記レール部材（例えば、内レール５０１／第１外レール５０２／第２外レール５０３等）は、第１部位（例えば、非固定部５０５Ａ）と該第１部位よりも強度が高い第２部位（例えば、非固定部５０５Ｂ，５０５Ｃ、固定部５０４Ｔ，５０４Ｕ）とを少なくとも有する
ことを特徴としている。
この特徴によれば、固定部や非固定部に応じた強度を持たせることができる。
【００１３】
手段７の遊技機は、手段２〜６のいずれかに記載の遊技機であって、
前記レール部材（例えば、内レール５０１／第１外レール５０２／第２外レール５０３等）における前記突部（例えば、突部５０７Ａ〜５０７Ｆ）の周囲には、溝部（例えば、溝部５０９）が形成されている
ことを特徴としている。
この特徴によれば、突部と凹部または孔部との接触によって生じる粉や屑等が溝部に入り込むことで、周囲に飛散しにくくなる。
【００１４】
手段８の遊技機は、手段１〜７に記載の遊技機であって、
前記第１保持体は、前記第２保持体による保持状態を解除しない限り前記遊技盤から取外すことができない（例えば、ガラス扉枠５０を開放し、盤押え金具１６２ａと第２外レール５０３とネジＮ１とを取外さなければ、レール飾り枠４１０を遊技盤２から取外すことができない）
ことを特徴としている。
この特徴によれば、第１保持体が遊技盤から容易に取外されることを抑制できる。
【００１５】
手段９の遊技機は、手段１〜８に記載の遊技機であって、
前記第１保持体は、前記被衝突体の保持位置からの位置ずれを規制する規制部（例えば、弾性部材６００に係合して該弾性部材６００の保持位置からの位置ずれを規制するレール飾り枠４１０の第１保持部４２１の板状部４２５及び突出部４２２、第２保持部４２３の被係合部４２７／第２保持部４２３の係合突部４２８）を有する
ことを特徴としている。
この特徴によれば、第１保持体に対し被衝突体が位置ずれして遊技性が損なわれることを抑制できる。
【００１６】
手段１０の遊技機は、手段９に記載の遊技機であって、
前記規制部は、前記被衝突体を保持した状態において該被衝突体が当接する当接面であって、互いに向きが異なる複数の当接面（例えば、レール飾り枠４１０の第１保持部４２１の板状部４２５において弾性部材６００に当接する内側面と、第２保持部４２３において弾性部材６００に当接する面）から構成される
ことを特徴としている。
この特徴によれば、被衝突体を向きが異なる複数の当接面で押えることができるので、該被衝突体の位置ずれを好適に抑制できる。
【００１７】
手段１１の遊技機は、手段１〜１０のいずれかに記載の遊技機であって、
前記第１保持体には、遊技媒体が通過可能な通路を形成する通路形成部が一体に形成されている（例えば、レール飾り枠とセンター飾り枠と通過経路とを一体に形成した飾り枠８００。図２２の変形例１）
ことを特徴としている。
この特徴によれば、第１保持体と通路との位置関係がずれることで遊技性が損なわれることを抑制できる。
【００１８】
手段１２の遊技機は、手段１〜１１のいずれかに記載の遊技機であって、
前記第１保持体は、前記被衝突体に形成された挿入孔に挿入される保持用ピン（例えば、レール飾り枠４１０の第１保持部４２１の突出部４２２）を有し、
前記保持用ピンは、基部側の外径が先端部側の外径よりも大きい
ことを特徴としている。
この特徴によれば、被衝突体に生じる衝撃に対する保持用ピンの耐久性を高めることができる。
【００１９】
手段１３の遊技機は、手段１〜１２のいずれかに記載の遊技機であって、
前記第１保持体は、前記被衝突体に形成された挿入孔に挿入される保持用ピン（例えば、レール飾り枠４１０の第１保持部４２１の突出部４２２）を有し、
前記保持用ピンの内部には中空部（例えば、第１保持部４２１の凹部４２６）が形成されている
ことを特徴としている。
この特徴によれば、保持用ピンの強度が高まるので、耐久性が向上する。
【００２０】
手段１４の遊技機は、手段１〜１３のいずれかに記載の遊技機であって、
前記被衝突体は、少なくとも遊技媒体が衝突する衝突部が前記第１保持体の外側に位置するように該第１保持体により保持される（例えば、弾性部材６００の被衝突面６０１がレール飾り枠４１０の第１保持部４２１より突出した状態で該第１保持部４２１により保持される）
ことを特徴としている。
この特徴によれば、第１保持体に遊技媒体が衝突して該第１保持体が破損することを抑制できる。
【００２１】
尚、本発明は、本発明の請求項に記載された発明特定事項のみを有するものであっても良いし、本発明の請求項に記載された発明特定事項とともに該発明特定事項以外の構成を有するものであっても良い。
【図面の簡単な説明】
【００２２】
【図１】パチンコ遊技機を正面から見た正面図である。
【図２】主基板における回路構成の一例を示すブロック図である。
【図３】ガラス扉枠を開扉した状態のパチンコ遊技機の構成を示す斜視図である。
【図４】遊技盤が取付けられた遊技機用枠を示す正面図である。
【図５】（Ａ）は上方の盤押え金具を示す斜視図、（Ｂ）は下方の盤押え金具を示す斜視図である。
【図６】遊技盤の構成を示す正面図である。
【図７】遊技領域を形成するスペーサ部材、盤面板、案内レール（第１外レール、第２外レール、内レール）、レール飾り枠の構造を示す斜視図である。
【図８】（Ａ）は内レールの構造を示す正面図、（Ｂ）は同じく背面図である。
【図９】内レールの背面側の一部を示す斜視図である。
【図１０】（Ａ）は図８（Ｂ）のＡ−Ａ断面図、（Ｂ）は同じくＢ−Ｂ断面図である。
【図１１】盤面板の構造を示す正面図である。
【図１２】（Ａ）は図８（Ｂ）の囲み部Ａの拡大図、（Ｂ）は同じく囲み部Ｂの拡大図である。
【図１３】（Ａ）は図１１のＣ−Ｃ断面図、（Ｂ）は同じくＤ−Ｄ断面図である。
【図１４】盤面板に内レールを取付けた状態における縦断面図である。
【図１５】（Ａ）は遊技球が第１経路を流下する態様を示す概略図、（Ｂ）は（Ａ）の要部拡大図、（Ｃ）は（Ａ）のＥ−Ｅ断面図である。
【図１６】（Ａ）はファール球が内レールに衝突した状態を示す概略図、（Ｂ）は（Ａ）のＦ−Ｆ断面図である。
【図１７】レール飾り枠の右側部の構造を示す斜視図である。
【図１８】（Ａ）はレール飾り枠の右側部の背面図、（Ｂ）は（Ａ）のＧ−Ｇ断面図、（Ｃ）は（Ａ）のＨ−Ｈ断面図である。
【図１９】（Ａ）は弾性部材の構成を示す６面図、（Ｂ）は（Ａ）のＩ−Ｉ断面図である。
【図２０】（Ａ）は第１外レールの右端部の構成を示す斜視図、（Ｂ）は第１外レールの右端部の他の構成を示す斜視図である。
【図２１】（Ａ）はパチンコ遊技機の正面図、（Ｂ）は（Ａ）に示すパチンコ遊技機の平面断面図である。
【図２２】（Ａ）は変形例１としてのレール飾り枠の右側部の正面図、（Ｂ）は（Ａ）のＪ−Ｊ断面図である。
【図２３】（Ａ）は変形例２としての弾性部材の変形例を示す斜視図、（Ｂ）は（Ａ）の変形例の断面図である。
【図２４】（Ａ）は変形例３としてのレール飾り枠の右側部の背面図、（Ｂ）は（Ａ）のＫ−Ｋ断面図である。
【発明を実施するための形態】
【００２３】
本発明に係る遊技機を実施するための形態を実施例に基づいて以下に説明する。
【実施例】
【００２４】
まず、遊技機の一例であるパチンコ遊技機１の全体の構成について説明する。図１は、パチンコ遊技機を正面から見た正面図である。図２は、主基板における回路構成の一例を示すブロック図である。尚、以下において、図１の手前側をパチンコ遊技機１の前方（前面、正面）側、奥側を背面（後方）側とし、パチンコ遊技機１を前面側から見たときの上下左右方向を基準として説明する。尚、本実施例におけるパチンコ遊技機１の前面とは、該パチンコ遊技機１にて遊技を行う遊技者と対向する対向面である。
【００２５】
図１は、本実施例におけるパチンコ遊技機の正面図であり、主要部材の配置レイアウトを示す。パチンコ遊技機（以下、遊技機と略記する場合がある）１は、大別して、遊技盤面２００Ａを前面側に有する遊技盤２（ゲージ盤ともいう）と、遊技盤２を支持固定する遊技機用枠（台枠）３とから構成されている。遊技盤２には、ガイドレール２ｂによって囲まれた正面視略円形状の遊技領域１０が形成されている。この遊技領域１０には、遊技媒体としての遊技球Ｐが打球発射装置（図示略）から発射されて打ち込まれる。また、遊技機用枠３には、ガラス窓５０ａを有するガラス扉枠５０が左側辺を中心として回動可能に設けられ、該ガラス扉枠５０により遊技領域１０を開閉できるようになっており、ガラス扉枠５０を閉鎖したときにガラス窓５０ａを通して遊技領域１０を透視できるようになっている。また、ガラス扉枠５０は、遊技機用枠３の前面全域を被覆可能な大きさに形成されており、ガラス窓５０ａの下方には打球操作ハンドル５１が設けられている。尚、以下の説明においては、遊技球Ｐを遊技球と称することがある。
【００２６】
遊技盤２は、アクリル樹脂、ポリカーボネート樹脂、メタクリル樹脂等の透光性を有する合成樹脂材にて正面視略四角形状に形成され、前面である遊技盤面２００Ａに障害釘（図示略）やガイドレール２ｂ等が設けられた盤面板２００と、該盤面板の背面側に一体的に取付けられるスペーサ部材２５０と、から主に構成されている。尚、本実施例の遊技盤２は、透光性を有する合成樹脂材にて構成されていたが、これに限られるものではなく、ベニヤ板等の非透光性部材にて正面視略四角形状に構成されていてもよい。
【００２７】
遊技盤２の所定位置（図１に示す例では、遊技領域１０の右側下部位置）には、第１特別図柄表示器４Ａと、第２特別図柄表示器４Ｂとが設けられている。第１特別図柄表示器４Ａと第２特別図柄表示器４Ｂはそれぞれ、変動表示ゲームの一例となる特図ゲームにおいて、各々を識別可能な複数種類の識別情報（特別識別情報）である特別図柄（「特図」ともいう）が、変動可能に表示（変動表示または可変表示ともいう）される。以下では、第１特別図柄表示器４Ａにおいて変動表示される特別図柄を「第１特図」ともいい、第２特別図柄表示器４Ｂにおいて変動表示される特別図柄を「第２特図」ともいう。
【００２８】
遊技盤２における遊技領域１０の中央付近には、演出表示装置５が設けられている。演出表示装置５は、例えばＬＣＤ（液晶表示装置）等から構成され、各種の演出画像を表示する表示領域を形成している。演出表示装置５の表示領域では、特図ゲームにおける第１特別図柄表示器４Ａによる第１特図の変動表示や第２特別図柄表示器４Ｂによる第２特図の変動表示のそれぞれに対応して、例えば３つといった複数の変動表示部となる演出図柄表示エリア５Ｌ，５Ｃ，５Ｒにて、各々を識別可能な複数種類の識別情報（装飾識別情報）である演出図柄が変動表示される。この演出図柄の変動表示も、変動表示ゲームに含まれる。
【００２９】
このように、演出表示装置５の表示領域では、第１特別図柄表示器４Ａにおける第１特図を用いた特図ゲーム、または、第２特別図柄表示器４Ｂにおける第２特図を用いた特図ゲームと同期して、各々が識別可能な複数種類の演出図柄の変動表示を行い、変動表示結果となる確定演出図柄（最終停止図柄）を導出表示する。
【００３０】
演出表示装置５は、遊技盤２よりも背面側に配設され、該遊技盤２に形成された開口２ｃを通して視認できるようになっている。尚、遊技盤２における開口２ｃには枠状のセンター飾り枠５２が設けられている。
【００３１】
演出表示装置５の表示領域の下部の左右２個所には、第１保留記憶表示エリア５Ｄ、第２保留記憶表示エリア５Ｕが設定されている。第１保留記憶表示エリア５Ｄ、第２保留記憶表示エリア５Ｕでは、特図ゲームに対応した変動表示の保留記憶数（特図保留記憶数）を特定可能に表示する保留記憶表示が行われる。
【００３２】
ここで、特図ゲームに対応した変動表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや演出図柄の変動表示といった変動表示ゲームを実行するための始動条件（「実行条件」ともいう）は成立したが、先に成立した開始条件に基づく変動表示ゲームが実行中であることやパチンコ遊技機１が大当り遊技状態に制御されていることなどにより、変動表示ゲームの開始を許容する開始条件が成立していないときに、成立した始動条件に対応する変動表示の保留が行われる。
【００３３】
第１特別図柄表示器４Ａ及び第２特別図柄表示器４Ｂの右側方位置には、特図保留記憶数を特定可能に表示するための第１保留表示器２５Ａと第２保留表示器２５Ｂとが設けられている。第１保留表示器２５Ａは、第１特図保留記憶数を特定可能に表示し、第２保留表示器２５Ｂは、第２特図保留記憶数を特定可能に表示する。
【００３４】
演出表示装置５の下方には、普通入賞球装置６Ａが設けられ、演出表示装置５の右側下方には、普通可変入賞球装置６Ｂが設けられている。普通入賞球装置６Ａは、例えば所定の球受部材によって常に一定の開放状態に保たれる始動領域（第１始動領域）としての第１始動入賞口を形成する。普通可変入賞球装置６Ｂは、図２に示す普通電動役物用となるソレノイド８１によって、遊技領域１０に突出する突出位置となる閉鎖状態と遊技領域１０から退避する退避位置となる開放状態とに変化する可動板を有する普通電動役物を備え、始動領域（第２始動領域）としての第２始動入賞口を形成する。
【００３５】
第１始動入賞口を通過（進入）した遊技球が第１始動口スイッチ２２Ａによって検出されたことに基づき、所定個数（例えば３個）の遊技球が賞球として払い出され、第１特図保留記憶数が所定の上限値（例えば「４」）以下であれば、第１始動条件が成立する。また、第２始動入賞口を通過（進入）した遊技球が第２始動口スイッチ２２Ｂによって検出されたことに基づき、所定個数（例えば３個）の遊技球が賞球として払い出され、第２特図保留記憶数が所定の上限値（例えば「４」）以下であれば、第２始動条件が成立する。
【００３６】
図１に示すように、普通入賞球装置６Ａの右方位置には、特別可変入賞球装置７が設けられている。特別可変入賞球装置７は、図２に示すソレノイド８２によって開閉駆動される大入賞口扉によって開放状態と閉鎖状態とに変化する特定領域としての大入賞口を形成する。このように、特定領域としての大入賞口は、遊技球が通過（進入）しやすく遊技者にとって有利な開放状態と、遊技球が通過（進入）できない（または通過（進入）しにくい）遊技者にとって不利な閉鎖状態とに変化する。
【００３７】
大入賞口を通過（進入）した遊技球が図２に示すカウントスイッチ２３によって検出されたことに基づき、所定個数（例えば１５個）の遊技球が賞球として払い出される。従って、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３８】
また、演出表示装置５の左側下方及び右側方位置には、入賞口形成部材により形成された一般入賞口４０１Ａ，４０１Ｂ，４０１Ｃが設けられている。この一般入賞口４０１Ａ，４０１Ｂ，４０１Ｃを通過（進入）した遊技球は、図示しない誘導通路により遊技盤２の背面側に設けられた入賞スイッチ３０（図２参照）に誘導され、入賞スイッチ３０により該遊技球が通過（進入）したことが検出される。そして、入賞スイッチ３０により遊技球の通過（進入）が検出されたことに基づき、賞球として所定個数（例えば１０個）の遊技球の払い出しのみが行われる。
【００３９】
第２保留表示器２５Ｂの右側方位置には、普通図柄表示器２０が設けられている。普通図柄表示器２０の右側方位置には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００４０】
遊技領域１０の下方における遊技機用枠３の所定位置には、賞球として払い出された遊技球や所定の球貸機により貸し出された遊技球を、打球発射装置（図示略）へと供給可能に保持（貯留）する図示しない上皿（打球供給皿）が設けられている。遊技機用枠３の下部には、上皿から溢れた余剰球やファール球などをパチンコ遊技機１の外部へと排出する排出口（図示略）が設けられている。
【００４１】
次に、パチンコ遊技機１の回路構成について説明する。パチンコ遊技機１には、例えば図２に示すような主基板１１、演出制御基板１２、音声制御基板１３、ＬＥＤ制御基板１４、主基板１１と演出制御基板１２との間で伝送される各種の制御信号を中継するための中継基板１５、払出制御基板、情報端子基板、発射制御基板、インタフェース基板などといった、各種の基板が配置されている。
【００４２】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２などからなるサブ側の制御基板に宛てて、指令情報の一例となる制御コマンドを制御信号として出力して送信する機能、ホールの管理コンピュータに対して各種情報を出力する機能などを備えている。また、主基板１１は、第１特別図柄表示器４Ａと第２特別図柄表示器４Ｂを構成する各ＬＥＤ（例えばセグメントＬＥＤ）などの点灯／消灯制御を行って第１特図や第２特図の変動表示を制御することや、普通図柄表示器２０の点灯／消灯／発色制御などを行って普通図柄表示器２０による普通図柄の変動表示を制御することといった、所定の表示図柄の変動表示を制御する機能も備えている。また、主基板１１には、例えば遊技制御用マイクロコンピュータ１００や、スイッチ回路１１０、ソレノイド回路１１１などが搭載されている。
【００４３】
図２に示すように、主基板１１には、通過ゲート４１を通過した遊技球を検出するゲートスイッチ２１、第１始動口スイッチ２２Ａ、第２始動口スイッチ２２Ｂ、カウントスイッチ２３、入賞スイッチ３０からの検出信号を伝送する配線が接続されている。また、第１特別図柄表示器４Ａ、第２特別図柄表示器４Ｂ、普通図柄表示器２０、第１保留表示器２５Ａ、第２保留表示器２５Ｂ、普図保留表示器２５Ｃなどの表示制御を行うための指令信号を伝送する配線が接続されている。
【００４４】
主基板１１から演出制御基板１２に向けて伝送される制御信号は、例えば電気信号として送受信される演出制御コマンドである。演出制御コマンドには、例えば、演出図柄の変動時間及びリーチ演出の種類や擬似連の有無等の変動態様を示す変動パターンを示す変動パターン指定コマンド等が含まれている。
【００４５】
主基板１１に搭載された遊技制御用マイクロコンピュータ１００は、例えば１チップのマイクロコンピュータであり、遊技制御用のプログラムや固定データ等を記憶するＲＯＭ１０１（ReadOnlyMemory１０１）と、遊技制御用のワークエリアを提供するＲＡＭ１０２（RandomAccessMemory１０２）と、遊技制御用のプログラムを実行して制御動作を行うＣＰＵ１０３（CentralProcessingUnit１０３）と、ＣＰＵ１０３とは独立して乱数値を示す数値データの更新を行う乱数回路１０４と、Ｉ／Ｏ１０５（Input/Outputport１０５）と、を備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。
【００４６】
図２に示すように、演出制御基板１２は、主基板１１とは独立したサブ側の制御基板であり、中継基板１５を介して主基板１１から伝送された制御信号を受信して、演出表示装置５、スピーカ８Ｌ，８Ｒ及び演出用ＬＥＤ９といった演出用の電気部品による演出動作を制御するための各種回路が搭載されている。
【００４７】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、演出表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００４８】
演出表示装置５の演出図柄表示エリア５Ｌ，５Ｃ，５Ｒでは、特図ゲームが開始されることに対応して、演出図柄の変動表示が開始される。
【００４９】
次に、本実施例におけるパチンコ遊技機１の動作（作用）を説明する。主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理において遊技制御用タイマ割込み処理を開始すると、スイッチ処理、メイン側エラー処理、情報出力処理、遊技用乱数更新処理、特別図柄プロセス処理、普通図柄プロセス処理、コマンド制御処理を実行する。また、演出制御用ＣＰＵ１２０は、電源が投入されると、メイン処理の実行を開始する。メイン処理においてタイマ割込が発生すると、コマンド解析処理、演出制御プロセス処理、演出用乱数更新処理を実行する。
【００５０】
次に、図３〜図５に基づいて、パチンコ遊技機１の構造について説明する。図３は、遊技機用枠を開放した状態を示す斜視図である。図４は、遊技盤が取付けられた遊技機用枠を示す正面図である。図５は、（Ａ）は上方の盤押え金具を示す斜視図、（Ｂ）は下方の盤押え金具を示す斜視図である。
【００５１】
図３に示すように、外枠６０は、上板６１、下板６２、左側板６３及び右側板６４により縦長四角枠状に形成されている。上板６１及び下板６２は木材により板状に形成されており、遊技場等に設置される図示しない遊技島に釘等を介して設置固定できるようになっている。左側板６３及び右側板６４は、アルミニウム材の押出成型により板状に形成されている。
【００５２】
外枠６０の開口下部には幕板２１４が設けられ、開口下部が閉塞されている。外枠６０の左上角部及び左下角部には、遊技機用枠３の左上角部及び左下角部に設けられた上下方向を向く回動軸（図示略）を回動可能に支持する軸受部（図示略）が設けられており、遊技機用枠３は、外枠６０の左側辺付近を中心として該外枠６０の開口を閉鎖する閉鎖位置と開口を開放する開放位置との間で回動可能に支持されている。
【００５３】
図４に示すように、遊技機用枠３には、遊技盤２の背面側に設けられる遊技用部品ユニット（図示略）が挿入可能な大きさを有する開口部１６０が形成されている。また、開口部１６０の左側上下位置には、係止凹部１６１ａ，１６１ｂが設けられているとともに、右側上下位置には、盤押え金具１６２ａ，１６２ｂが設けられており、遊技盤２の左端部を係止凹部１６１ａ，１６１ｂに差し込んだ状態で、右端部を盤押え金具１６２ａ，１６２ｂで係止することにより取付けられるようになっている。
【００５４】
図５（Ａ）に示すように、盤押え金具１６２ａは、遊技機用枠３に固定されるベース部１７０と、ベース部１７０に対し右側に設けられた上下方向を向く回動軸１７１を中心として回動可能に設けられた回動部１７２と、回動部１７２に対しスライド移動可能に設けられた係止部１７３と、回動部１７２の回動軸１７１側から下方に垂下されるレール押え片１７４と、から主に構成される。
【００５５】
回動部１７２は、回動軸１７１に環装されたコイルバネ（図示略）により常時開放方向に向けて付勢されており、下部には、遊技盤２の前面上辺右側を前側から押える盤押え片１７２ａが左右方向に向けて延設されている。係止部１７３は、ベース部１７０に形成された被係止部（図示略）に係止可能な係止爪（図示略）と、係止解除操作を行うための操作片１７３ｂと、を有し、圧縮バネ（図示略）により常時係止方向に向けて付勢されている。
【００５６】
このように構成された盤押え金具１６２ａは、図５（Ａ）において２点鎖線で示す係止解除状態において、回動部１７２をコイルバネ（図示略）の付勢力に抗して係止位置（図５（Ａ）において実線で示す位置）へ移動させることで、係止爪（図示略）が被係止部（図示略）に係止される係止状態となる。また、図５（Ａ）において実線で示す係止状態において、圧縮バネ（図示略）の付勢力に抗して操作片１７３ｂを操作して係止部１７３を回動軸１７１側へ移動させると、図５（Ａ）に示すように係止爪（図示略）による被係止部（図示略）への係止が解除され、回動部１７２がコイルバネ（図示略）の付勢力により開放位置へ回動する。
【００５７】
図５（Ｂ）に示すように、盤押え金具１６２ｂは、遊技機用枠３に固定されるベース部１８０と、ベース部１８０に対し右側に設けられた上下方向を向く回動軸１８１を中心として回動可能に設けられた回動部１８２と、回動部１８２に対しスライド移動可能に設けられた係止部１８３と、から主に構成される。
【００５８】
回動部１８２は、回動軸１８１に環装されたコイルバネ（図示略）により常時開放方向に向けて付勢されており、下部には、遊技盤２の前面下辺右側を前側から押える盤押え片１８２ａが左右方向に向けて延設されている。係止部１８３は、ベース部１８０に形成された被係止部（図示略）に係止可能な係止爪（図示略）と、係止解除操作を行うための操作片１８３ｂと、を有し、圧縮バネ（図示略）により常時係止方向に向けて付勢されている。
【００５９】
このように構成された盤押え金具１６２ｂは、図５（Ｂ）において２点鎖線で示す係止解除状態において、回動部１８２をコイルバネ（図示略）の付勢力に抗して係止位置（図５（Ｂ）において実線で示す位置）へ移動させることで、係止爪（図示略）が被係止部（図示略）に係止される係止状態となる。また、図５（Ｂ）において実線で示す係止状態において、圧縮バネ（図示略）の付勢力に抗して操作片１８３ｂを操作して係止部１８３を回動軸１８１側へ移動させると、図５（Ｂ）に示すように係止爪（図示略）による被係止部（図示略）への係止が解除され、回動部１８２がコイルバネ（図示略）の付勢力により開放位置へ回動する。
【００６０】
ここで、遊技盤２の遊技機用枠３への取付方法について、図４、図５に基づいて説明する。遊技盤２を遊技機用枠３へ取付ける場合、まず、上下の盤押え金具１６２ａ，１６２ｂの回動部１７２，１８２及び係止部１７３，１８３を開放位置へ移動しておく。次いで、遊技盤２の背面を開口部１６０に向けた状態で、遊技機用枠３の前方から遊技盤２の左側辺部を係止凹部１６１ａ，１６１ｂに差し込み、該係止凹部１６１ａ，１６１ｂを中心として遊技盤２の右側辺部を後方に向けて押し込む。そして、遊技盤２の背面周縁部が遊技機用枠３の開口部１６０の周縁部に当接することで遊技盤２が遊技機用枠３に位置決めされ、遊技盤２の背面が開口部１６０を介して背面側に臨む。
【００６１】
また、遊技機用枠３の前方から遊技盤２の左側辺部を係止凹部１６１ａ，１６１ｂに差し込み、該係止凹部１６１ａ，１６１ｂを中心として遊技盤２の右側辺部を後方に向けて押し込んで遊技盤２を開口部１６０に配置した状態で、上下の盤押え金具１６２ａ，１６２ｂの回動部１７２，１８２及び係止部１７３，１８３を開放位置から係止位置へ移動することで、遊技盤２の前面における上下辺部の右側が盤押え片１７２ａ，１８２ａにより前方から押えられる。そして、係止爪（図示略）が被係止部（図示略）に係止されることで、遊技盤２が係止凹部１６１ａ，１６１ｂと上下の盤押え金具１６２ａ，１６２ｂとにより遊技機用枠３に取付けられた状態で保持される。また、盤押え片１７２ａ，１８２ａは遊技盤２の上下辺に沿って延設される平坦面を有しており、該平坦面にて遊技盤２の前面上下辺部を押えるため、遊技盤２を安定して遊技機用枠３に保持することができる。
【００６２】
また、レール押え片１７４は、後述するレール飾り枠４１０の前面上右部に対向する平坦面を有しており、該平坦面にてレール飾り枠４１０の前面上右部を押えるため、レール飾り枠４１０を安定して保持することができる（図４、図６参照）。
【００６３】
次に、遊技盤２について、図６及び図７に基づいて説明する。図６は、遊技盤を示す正面図である。図７は、遊技盤等の構成を示す分解斜視図である。
【００６４】
図６及び図７に示すように、遊技盤２は、盤面板２００と、該盤面板２００の背面側に一体的に取付けられるスペーサ部材２５０と、から主に構成されている。盤面板２００の厚さは約１０ｍｍ程度であり、全体が透明に形成されている。また、盤面板２００は、その前面側に該盤面板２００と略平行に配置されるガラス窓５０ａとの間に遊技領域１０を形成する。
【００６５】
尚、本実施例では盤面板２００全体が透明に形成されているが、当該盤面板２００の前面側からその背面側に配設される装飾体（図示略）等を透視可能な透光性部材にて形成されていれば、半透明であってもよいし、着色されていてもよい。また、全体が透光性を有していなくても、少なくとも遊技領域１０の一部に透光部が形成されていてもよい。
【００６６】
スペーサ部材２５０は、非透光性部材により正面視略四角枠状に形成され、盤面板２００の背面周縁部が配置される取付部２５０Ａを有し、該取付部２５０Ａの前面部には、盤面板２００の位置を決定するための位置決め用ボスが複数突設されているとともに、取付ネジが螺入されるネジ孔を有する取付用ボスが複数突設されている。尚、スペーサ部材２５０における取付部２５０Ａの板厚は約１０ｍｍ程度とされているため、スペーサ部材２５０と盤面板２００とで板厚が約２０ｍｍの遊技盤２が形成されるようになっている。
【００６７】
盤面板２００には、背面側に配設される演出表示装置５の表示画面を前面側に臨ませるとともに、センター飾り枠５２が取付けられる第１孔部２０１と、特別可変入賞球装置７、普通可変入賞球装置６Ｂ及び誘導通路を有する第１誘導部材ユニット３００が取付けられる第２孔部２０２と、普通入賞球装置６Ａが取付けられる第３孔部２０３と、アウト口１６を形成する第４孔部２０４と、通過ゲート４１が取付けられる第５孔部２０５と、一般入賞口形成部材が取付けられる第６孔部２０６Ａ〜２０６Ｃと、が前後方向に貫通して形成されている（図７参照）。
【００６８】
また、盤面板２００の前面である遊技盤面２００Ａにおける第１誘導部材ユニット３００の右斜め上方位置には遊技球を誘導する第２誘導部材ユニット３０１が取付けられ、一般入賞口形成部材の左方位置には、遊技球を誘導する第３誘導部材ユニット３０２が取付けられている。
【００６９】
また、遊技盤面２００Ａには、遊技領域１０の周囲に設けられる案内レール５００が取付けられている。この案内レール５００は、遊技領域１０の外縁を形成する外レールと、外レールの内側に取付けられる内レール５０１（レール部材）と、を備えている。詳しくは、外レールは、遊技領域１０の左下から右上にかけて湾曲しながら延びる第１外レール５０２と、第１外レール５０２における右端（前記発射口と反対側の端部）から下方側に所定長さ延び、そこからアウト口１６に向けて所定長さ延びる第２外レール５０３と、からなる。第１外レール５０２は、帯板状の金属材からなり、該第１外レール５０２の外側に配設されるレール飾り枠４１０の円弧状の内側面に嵌め込まれた状態で遊技盤面２００Ａに対してレール飾り枠４１０が複数のネジＮ１で固定されることにより取付けられる。尚、図４、図６では、説明の便宜上、実際よりもネジＮ１の数を減らして図示している。
【００７０】
また、第２外レール５０３は、合成樹脂材からなり、遊技盤面２００Ａに対して複数のネジＮ２により取付けられる。この第２外レール５０３の下部には、前述した第１特別図柄表示器４Ａ、第２特別図柄表示器４Ｂ、第１保留表示器２５Ａ、第２保留表示器２５Ｂ、普通図柄表示器２０、普図保留表示器２５Ｃが設けられている。また、第２外レール５０３の右側には、製造年月日等が表記された第三者機関発行の図示しないラベル（証紙）が貼付されるラベル貼付部５２０が形成されている。ラベルが貼られていない遊技機はホールに配置することができないため、ラベル貼付部５２０を有する第２外レール５０３は、盤面板２００から容易に取外すことができないように固定されている。
【００７１】
内レール５０１は、合成樹脂材からなり、第２外レール５０３の左端から右側に湾曲しながら所定長さ上方に円弧状に延びている。この内レール５０１は、第２外レール５０３の左端（第２外レール５０３の下部の左端）に設けられた係止溝５０３ａに係止可能な係止爪５０１ａを備えており、係止溝５０３ａと係止爪５０１ａとの係止により第２外レール５０３に対して連結される。つまり、内レール５０１は、盤面板２００に強固に固定される第２外レール５０３とユニット化されるため、盤面板２００に安定して取付けることができる。また、内レール５０１は、後述する固定部５０４Ｔ，５０４Ｕにて遊技盤面２００Ａに対して複数のネジＮ３により取付けられる。
【００７２】
尚、第１外レール５０２（レール飾り枠４１０）、第２外レール５０３、内レール５０１がネジＮ１、ネジＮ２、ネジＮ３により盤面板２００に固定される形態について説明したが、本発明はこれに限定されるものではなく、溶接や圧入によって盤面板２００に取付け（固定）されてもよい。
【００７３】
内レール５０１と第１外レール５０２との間には、発射球通路４０２が形成され、打球発射装置から打ちこまれた遊技球Ｐが発射球通路４０２に案内されて遊技領域１０内に流入する。具体的には、遊技盤２の右下方に設けられる図示しない打球発射装置から打ち出された遊技球Ｐは、第１外レール５０２に沿って発射球通路４０２を上方に向けて移動して遊技領域１０の左上部へ誘導される。そして、遊技者が打球操作ハンドル５１を第１操作した場合、遊技領域１０に進入した遊技球Ｐはセンター飾り枠５２の左側の第１経路Ｋ１を流下し、遊技者が打球操作ハンドル５１を第１操作よりも発射強度が強くなる第２操作した場合、遊技領域１０に進入した遊技球Ｐはセンター飾り枠５２の右側の第２経路Ｋ２を流下するようになっている。
【００７４】
尚、内レール５０１の自由端（上端）には、球戻り防止装置７００が設けられている。この球戻り防止装置７００は、内レール５０１の自由端に対し揺動可能に軸支される板状の開閉部７０１を有し、開閉部７０１が、図示しない錘部により発射球通路４０２を閉塞するように付勢されている。また、開閉部７０１が発射球通路４０２を閉塞した状態にあっては、前記錘部が内レール５０１に係止しており、それ以上左回りに回動しないようになっている（図６参照）。これによれば、打球発射装置から打ちこまれた遊技球Ｐは、前記錘部による付勢に抗して開閉部７０１を跳ね上げて遊技領域１０内に流入するとともに、遊技領域１０から発射球通路４０２内に戻ろうとする遊技球Ｐは、開閉部７０１によって発射球通路４０２内への戻りが防止される。
【００７５】
レール飾り枠４１０は、遊技領域１０の左下から左上を介して右上に亘る弧状に形成された樹脂製部材である。このレール飾り枠４１０の円弧状の内側面には第１外レール５０２が装着される。また、レール飾り枠４１０の内側面において第１外レール５０２の先端部（図６の右上部）が取付けられる箇所には、ゴムなどの弾性体で形成された弾性部材６００が被衝突体として取付けられており、所定以上の勢いで打球発射装置（図示略）から発射され第１外レール５０２の内側面に沿って移動してきた遊技球が弾性部材６００に当たって勢いを減衰しつつ遊技領域１０の中央部側へ跳ね返される。
【００７６】
次に、内レール５０１の構造について、図８〜図１６に基づいて説明する。図８は、（Ａ）は内レールの構造を示す正面図、（Ｂ）は同じく背面図である。図９は、内レールの背面側の一部を示す斜視図である。図１０は、（Ａ）は図８（Ｂ）のＡ−Ａ断面図、（Ｂ）は同じくＢ−Ｂ断面図である。図１１は、盤面板の構造を示す正面図である。図１２は、（Ａ）は図８（Ｂ）の囲み部Ａの拡大図、（Ｂ）は同じく囲み部Ｂの拡大図である。図１３は、（Ａ）は図１１のＣ−Ｃ断面図、（Ｂ）は同じくＤ−Ｄ断面図である。図１４は、盤面板に内レールを取付けた状態における縦断面図である。図１５は、（Ａ）は遊技球が第１経路を流下する態様を示す概略図、（Ｂ）は（Ａ）の要部拡大図、（Ｃ）は（Ａ）のＥ−Ｅ断面図である。図１６は、（Ａ）はファール球が内レールに衝突した状態を示す概略図、（Ｂ）は（Ａ）のＦ−Ｆ断面図である。
【００７７】
図８〜図１０に示すように、内レール５０１は、非透光性の合成樹脂等を金型に充填して形成されており（所謂、射出成形）、遊技盤面２００Ａに沿って設けられるフランジ部５１２と、フランジ部５１２の一方の側端縁から立設される立壁部５１３とを有している。尚、この内レール５０１は、可撓性を有していれば、鉄板等の金属製であっても構わない。
【００７８】
内レール５０１を遊技盤面２００Ａに取付けた状態にあっては、立壁部５１３が遊技盤面２００Ａから前方側（遊技者側）に立設した状態となっている（図１３参照）。この内レール５０１は、樹脂製であり、且つ円弧状を成していることから、撓曲変形可能となっている。すなわち、非固定部５０５Ａは可撓性を有している。
【００７９】
図８に示すように、内レール５０１の長手方向（上下方向）の両端近傍には、ネジＮ３を挿通させるネジ孔５０６Ｔ，５０６Ｕが形成されており、ネジ孔５０６Ｔ，５０６Ｕの近傍は、遊技盤面２００Ａに固定される固定部５０４Ｔ，５０４Ｕとなっている。また、内レール５０１における固定部５０４Ｔ，５０４Ｕ以外の部位、つまり遊技盤面２００Ａに固定されない部位は、非固定部５０５Ａ〜５０５Ｃとなっている。そのため、内レール５０１を遊技盤面２００Ａに取付けた状態にあっては、非固定部５０５Ａ〜５０５Ｃ、特に、固定部５０４Ｔ，５０４Ｕ間の非固定部５０５Ａが撓曲変形しやすくなっている。すなわち、非固定部５０５Ａは可撓性を有している。
【００８０】
詳しくは、内レール５０１の長手方向の両端近傍には、固定部５０４Ｔ，５０４Ｕが形成されるため、内レール５０１の長手方向の両端は、立壁部５１３の立ち上り方向（前後方向）と直交する方向（左右方向）の肉厚が厚く形成されており、剛性が高くなっている。言い換えれば、内レール５０１の中間部にあたる非固定部５０５Ａ（第１部位）の肉厚は、その他の部位（第２部位）の肉厚よりも薄く形成されており、内レール５０１における立壁部５１３の立ち上り方向と直交する方向に撓曲変形しやすい。対して、内レール５０１における非固定部５０５Ｂ，５０５Ｃ、固定部５０４Ｔ，５０４Ｕ（第２部位）の肉厚は、非固定部５０５Ａの肉厚よりも厚く形成されており、非固定部５０５Ａに比べ撓曲変形しにくい。尚、非固定部５０５Ｂ，５０５Ｃの肉厚は、非固定部５０５Ａに比べ撓曲変形しにくいが、非固定部５０５Ａよりも小さな幅で若干撓曲変形可能となっている。
【００８１】
さらに、固定部５０４Ｕと、該固定部５０４Ｕ近傍の非固定部５０５Ａの一部及び非固定部５０５Ｂ（第２部位）は、その一部が肉抜きされたリブ形状となっており、例えば遊技球Ｐが衝突した際には、リブが変形して衝撃を吸収することができるとともに、内レール５０１が軽量化される。
【００８２】
また、内レール５０１には、フランジ部５１２の背面５０８側（遊技盤面２００Ａ側）に断面視十字形状の突部５０７Ａ〜５０７Ｆ（当接部）が所定間隔置きに複数（本実施例では６個）設けられている。詳しくは、図９、図１０（Ｂ）、図１２（Ａ）、及び図１３（Ｂ）に示すように、突部５０７Ａ〜５０７Ｆは、内レール５０１の背面５０８よりも前面側に凹んだ段部から背面側に突出するように設けられている。つまり、突部５０７Ａ〜５０７Ｆの周囲には、内レール５０１の背面５０８よりも前面側に凹んだ溝部５０９が形成されている。
【００８３】
この突部５０７Ａ〜５０７Ｆは、遊技盤面２００Ａに設けられた後述する凹部２０７Ａ〜２０７Ｆ（被当接部）に挿入されるようになっており、この突部５０７Ａ〜５０７Ｆが凹部２０７Ａ〜２０７Ｆに挿入されることにより、内レール５０１が遊技盤面２００Ａに位置決めされる（図８参照）。すなわち、突部５０７Ａ〜５０７Ｆ及び凹部２０７Ａ〜２０７Ｆは、内レール５０１を盤面板２００へ取付ける際の位置決め用の部位である。また、後述するように突部５０７Ａ〜５０７Ｆは、凹部２０７Ａ〜２０７Ｆよりも小さく形成されており、突部５０７Ａ〜５０７Ｆが凹部２０７Ａ〜２０７Ｆ内で移動可能となっている。
【００８４】
また、内レール５０１の背面５０８の所定箇所には、背面５０８から背面側に突出する凸部５１０が複数（本実施例では２４個）設けられている。尚、これら凸部５１０の遊技盤面２００Ａからの突出長さは約０．１ｍｍ〜２ｍｍ程度とされている。
【００８５】
また、図９及び図１２（Ｂ）に示すように、内レール５０１の背面５０８における凸部５１０が近接して配置される箇所には、近接する凸部５１０間に小穴５１１が複数形成されている。図１２及び図１３（Ｂ）に示すように、盤面板２００に内レール５０１を取付けた状態にあっては、凸部５１０が遊技盤面２００Ａに当接し、内レール５０１の背面５０８は、遊技盤面２００Ａから離間している。尚、凸部５１０にあっては、説明の便宜上、実際の厚みよりも厚く図示している。
【００８６】
尚、射出成形の一例として、半割の金型片と、一方の金型片の所定箇所に形成される複数の貫通孔を介して一方の金型片の外面側から内面側に向けて進退可能なイジェクトピンと、を用い、半割の金型片の間に樹脂を充填し、樹脂が硬化した後、一方の金型片に樹脂を保持したまま他方の金型片を取外し、その後イジェクトピンにより樹脂を押出して一方の金型片から取外す方法がある。この方法を用いた場合、半割の金型の間に樹脂を充填した際に、貫通孔とイジェクトピンとの間に形成された隙間に入り込んだ部分、もしくはバリにより形成された部分は、内レールの背面から突出する。この突出部分を凸部として利用してもよい。
【００８７】
図１１〜図１４に示すように、盤面板２００の左側には、突部５０７Ａ〜５０７Ｆと対応する位置に凹部２０７Ａ〜２０７Ｆが形成されており、内レール５０１の固定部５０４Ｔ，５０４Ｕを遊技盤面２００Ａに対して固定した際には、突部５０７Ａ〜５０７Ｆが凹部２０７Ａ〜２０７Ｆ内に挿入されるようになっている。突部５０７Ａ〜５０７Ｆが凹部２０７Ａ〜２０７Ｆ内に挿入された際には、突部５０７Ａ〜５０７Ｆが凹部２０７Ａ〜２０７Ｆ内で移動可能となっている。
【００８８】
詳しくは、図１４に示すように、突部５０７Ａ〜５０７Ｆの直径Ｌ１は、約４．６ｍｍとなっている（Ｌ１＝４．６ｍｍ）。対して、内レール５０１の上方側（固定部５０４Ｔ近傍）の突部５０７Ａ，５０７Ｂが挿入される凹部２０７Ａ，２０７Ｂ、及び内レール５０１の下方側（固定部５０４Ｕ近傍）の突部５０７Ｆが挿入される凹部２０７Ｆの直径Ｌ２は、約５．３ｍｍとなっている（Ｌ２＝５．３ｍｍ）。さらに、内レール５０１の中間部（非固定部５０５Ａ）に設けられた突部５０７Ｃ〜５０７Ｅが挿入される凹部２０７Ｃ〜２０７Ｅの直径Ｌ３は、約５．７ｍｍとなっている（Ｌ３＝５．７ｍｍ）。すなわち、突部５０７Ａ〜５０７Ｆが凹部２０７Ａ〜２０７Ｆ内に挿入された際には、突部５０７Ａ〜５０７Ｆの側周面と凹部２０７Ａ〜２０７Ｆの内周面との間に空隙Ｓが形成されるため、突部５０７Ａ〜５０７Ｆが凹部２０７Ａ〜２０７Ｆ内で移動可能となっているとともに、突部５０７Ａ〜５０７Ｆが凹部２０７Ａ〜２０７Ｆの内周面に当接することにより移動が規制される。
【００８９】
さらに、突部５０７Ａ，５０７Ｂ，５０７Ｆは、固定部５０４Ｔ，５０４Ｕの近傍に設けられているため、内レール５０１の撓曲変形時における移動量が突部５０７Ｃ〜５０７Ｅに比べ小さい。よって、凹部２０７Ａ，２０７Ｂ，２０７Ｆの直径Ｌ２は、突部５０７Ｃ〜５０７Ｅが挿入される凹部２０７Ｃ〜２０７Ｅの直径Ｌ３に比べて小さく形成されている（Ｌ２＜Ｌ３）。
【００９０】
また、盤面板２００に内レール５０１を取付けた状態にあっては、突部５０７Ａ，５０７Ｂ，５０７Ｆは、凹部２０７Ａ，２０７Ｂ，２０７Ｆの略中央に配置されている。つまり、空隙Ｓは、突部５０７Ａ，５０７Ｂ，５０７Ｆの周囲に形成され、突部５０７Ａ，５０７Ｂ，５０７Ｆは、凹部２０７Ａ，２０７Ｂ，２０７Ｆの内周面のどこにも接していない。また、突部５０７Ｃ〜５０７Ｅは、凹部２０７Ｃ〜２０７Ｅの右側に寄せて配置されており、凹部２０７Ｃ〜２０７Ｅの左側に比較的大きな空隙Ｓが形成されている（図１３（Ａ）及び図１５（Ｂ）参照）。これは、後述するように、遊技球Ｐが発射球通路４０１側から内レール５０１に衝突するよりも、第１経路Ｋ１側から衝突する頻度が高いことから、突部５０７Ｃ〜５０７Ｅの左側への移動量を優先的に確保するためである。
【００９１】
より詳しくは、図１５（Ｃ）及び図１６（Ｂ）に示すように、突部５０７Ｃ，５０７Ｄは、凹部２０７Ｃ，２０７Ｄの右側の内周面に当接している。つまり、突部５０７Ｃ，５０７Ｄの側周面の一部が凹部２０７Ｃ，２０７Ｄの右側の内周面に当接し、それ以外に空隙Ｓが形成される。また、前述した第３誘導部材ユニット３０２の近くに配置される突部５０７Ｅは、凹部２０７Ｅの右側の内周面から離間寸法Ｌ４分離間している。つまり、空隙Ｓは、突部５０７Ｅの周囲に設けられ、凹部２０７Ｅの内周面のどこにも接していないが、突部５０７Ｅよりも左側に大きく形成されている。また、第３誘導部材ユニット３０２と内レール５０１とは、離間寸法Ｌ４よりも短い離間寸法Ｌ５分離間している（Ｌ４＞Ｌ５）。これは、突部５０７Ｅの近傍に対して、後述するファール球Ｐ１が発射球通路４０１側から内レール５０１に衝突した際の突部５０７Ｅの右側への移動量を優先的に確保するためである。尚、図１５（Ｃ）及び図１６（Ｂ）では、説明の便宜上、離間寸法Ｌ４及び離間寸法Ｌ５を実際よりも大きく図示している。
【００９２】
図１５（Ａ）に示すように、第１経路Ｋ１を流下する遊技球Ｐは、内レール５０１に衝突することがある。また、打球発射装置から打ち出された遊技球Ｐは、基本的に第１外レール５０２に沿って遊技領域１０内に流入するため、発射球通路４０１側から内レール５０１に衝突するよりも、第１経路Ｋ１側から衝突する頻度が高くなっている。尚、ここでは、内レール５０１における突部５０７Ｃの近傍に遊技球Ｐが衝突した例のみ説明し、それ以外の箇所（突部５０７Ａ，５０７Ｂ，５０７Ｄ〜５０７Ｆの近傍）に遊技球Ｐが衝突した態様についての説明を省略する。
【００９３】
前述のように、突部５０７Ｃ〜５０７Ｅは、凹部２０７Ｃ〜２０７Ｅの右側に寄せて配置されており、凹部２０７Ｃ〜２０７Ｅの左側に比較的大きな空隙Ｓが形成されているため、遊技領域１０を流下する遊技球Ｐが内レール５０１に衝突した際には、内レール５０１が第１経路Ｋ１側から発射球通路４０１側（右から左）に押されて非固定部５０５Ａが撓曲変形する。図１５（Ｂ）に示すように、突部５０７Ｃは、凹部２０７Ｃの右側の内周面に寄せて挿入されているので、突部５０７Ｃが凹部２０７Ｃの左側の内周面に向けて空隙Ｓ分左側に移動するとともに、突部５０７Ｃが凹部２０７Ｃの左側の内周面に当接することで左側への移動が規制される。
【００９４】
このように、突部５０７Ｃが凹部２０７Ｃとの空隙Ｓにより移動可能となっているため、遊技球Ｐが第１経路Ｋ１から内レール５０１に衝突したときに、非固定部５０５Ａが撓むことができ、衝撃が吸収されることで内レール５０１の破損を抑制できるとともに、突部５０７Ｃが移動しても凹部２０７Ｃに当接することにより非固定部５０５Ａが大きく位置ずれすることが防止されるため、遊技球Ｐを安定して案内することができる。
【００９５】
また、突部５０７Ｃが凹部２０７Ｃ内に挿入されているため、突部５０７Ｃの移動範囲が凹部２０７Ｃ内に収まる。従って、非固定部５０５Ａが大きく位置ずれすることが確実に防止される。
【００９６】
尚、ここでは、内レール５０１における突部５０７Ｃの近傍に第１経路Ｋ１を流下する遊技球Ｐが衝突した例についてのみ説明したが、内レール５０１のいずれの位置にあっても突部５０７Ａ〜５０７Ｆが移動して突部５０７Ｃと同様の効果を得ることができる。
【００９７】
また、図１６（Ａ）に示すように、遊技者の打球操作ハンドルが弱かった場合には、遊技球Ｐが遊技領域１０に進入せずに、発射球通路４０１内を逆流することがある（所謂、ファール球Ｐ１）。また、ファール球Ｐ１が発生した際には、ファール球Ｐ１が打球発射装置に戻る前に次の遊技球Ｐ２が発射される場合があり、この場合、逆流するファール球Ｐ１と発射された遊技球Ｐ２が衝突し、はじかれたファール球Ｐ１（または発射された遊技球Ｐ）が内レール５０１に衝突する。これにより、内レール５０１が発射球通路４０１側から第１経路Ｋ１側（左から右）に向けて押されるようになる。尚、ファール球Ｐ１は、打球発射装置の発射タイミングにより内レール５０１における突部５０７Ｅの付近で遊技球Ｐ２と衝突することが多いことから、ここでは、内レール５０１における突部５０７Ｅの近傍にファール球Ｐ１が衝突した態様について説明する。
【００９８】
図１２（Ｃ）及び図１３（Ｂ）のように、第３誘導部材ユニット３０２（第１構造物）の近くに配置される突部５０７Ｅは、凹部２０７Ｅの右側の内周面から離間寸法Ｌ４分離間しているため、突部５０７Ｅは、右方向に移動する。また、第３誘導部材ユニット３０２と内レール５０１との離間幅は、離間寸法Ｌ４よりも短い離間寸法Ｌ５となっているため、突部５０７Ｅは、凹部２０７Ｅの右側の内周面に当接する前に内レール５０１の立壁部５１３（当接部）が第３誘導部材ユニット３０２の外面に当接する。つまり、ファール球Ｐ１が非固定部５０５Ａに衝突することで立壁部５１３が第３誘導部材ユニット３０２に当接する。これにより、非固定部５０５Ａの大きな位置ずれが防止される。
【００９９】
このように、非固定部５０５Ａが第１経路Ｋ１側に撓曲変形した際には、突部５０７Ｅよりも強度の高い非固定部５０５Ａの立壁部５１３が、遊技盤面２００Ａに取付けられた構造物である第３誘導部材ユニット３０２に当接するため、非固定部５０５Ａの撓曲変形を安定して規制できる。また、非固定部５０５Ａが第１経路Ｋ１側に撓曲変形しないときには、立壁部５１３が第３誘導部材ユニット３０２に当接しないので、摩耗による劣化を抑制できる。また、第３誘導部材ユニット３０２の周辺を流下する遊技球Ｐが衝突した場合、一旦発射球通路４０１側に湾曲し、その後弾性変形により復帰した立壁部５１３が遊技領域１０側へ大きく湾曲することが防止される。
【０１００】
また、第３誘導部材ユニット３０２と内レール５０１とは、離間しているので、例えば、経年による劣化や新しい遊技盤へのモデルチェンジ等にあたって、盤面板２００から内レール５０１を取外さなくても第３誘導部材ユニット３０２を容易に交換・変更することができる。
【０１０１】
また、前述したように、突部５０７Ａ，５０７Ｂは、凹部２０７Ａ，２０７Ｂの略中央に配置されているので、ファール球Ｐ１が内レール５０１の上部（突部５０７Ａ，５０７Ｂ近傍）に衝突した際には、非固定部５０５Ｂが第１経路Ｋ１側に撓曲変形することが可能となっている。
【０１０２】
尚、本実施例では、ファール球Ｐ１は、一般的に内レール５０１における突部５０７Ｅの付近で遊技球Ｐ２と衝突することが多いことから、内レール５０１における突部５０７Ｅの近傍にファール球Ｐ１が衝突した形態を例示したが、突部５０７Ｃ，５０７Ｄも凹部２０７Ｃ，２０７Ｄの右側の内周面から離して配置してもよい。
【０１０３】
また、前述のように、本実施例の盤面板２００は、アクリル樹脂、ポリカーボネート樹脂、メタクリル樹脂等の透光性を有する合成樹脂材により構成されているため、その特性上、摩擦等により粉塵が生じやすくなっている。図９に示すように、盤面板２００に内レール５０１を取付けた状態にあっては、凸部５１０が遊技盤面２００Ａに当接し、内レール５０１の背面５０８は、遊技盤面２００Ａから離間している。
【０１０４】
このように、盤面板２００に内レール５０１を取付けた状態にあっては、遊技盤面２００Ａと内レール５０１の背面５０８とが面当接せず、凸部５１０のみが遊技盤面２００Ａに部分的に当接しているので、遊技盤面２００Ａと内レール５０１との摩擦により盤面板２００から生じる粉塵を極力減らすことができるため、遊技盤面２００Ａの表面が粉塵により汚れることを抑制できる。
【０１０５】
また、凸部５１０と遊技盤面２００Ａとの当接により生じた粉塵の一部は、凸部５１０近傍に配設される小穴５１１内に入り込むため、周囲に飛散しにくくなる。さらに、突部５０７Ａ〜５０７Ｆと凹部２０７Ａ〜２０７Ｆとの当接により生じた粉塵の一部は、突部５０７Ａ〜５０７Ｆの周囲に設けられる溝部５０９内に入り込むため、周囲に飛散しにくくなる。従って、遊技盤２のメンテナンス作業が容易である。また、前述のように、内レール５０１は、透光性を有していないため、フランジ部５１２の背面５０８に付着する粉塵や小穴５１１及び溝部５０９内に入り込んだ粉塵が内レール５０１を透して前方側から露見しないため、見栄えが向上する。尚、内レール５０１は、粉塵が前方側から目立ちにくければよいので、例えば、半透光性を有する樹脂や有色の樹脂等から構成されていてもよい。また、透光性部材の表面に、非透光性の樹脂を塗装してもよい。
【０１０６】
尚、本実施例では、凸部５１０における遊技盤面２００Ａとの当接面（先端面）が平坦に形成される形態を例示したが、本発明はこれに限定されるものではなく、凸部の当接面に凹状部等を設け、凸部と遊技盤面２００Ａとの当接により生じた粉塵の一部が該凹状部内に入り込むようにしてもよく、このようにすることで、粉塵の飛散をより抑制できる。
【０１０７】
以上説明したように、本発明の実施例としてのパチンコ遊技機１にあっては、遊技領域１０に遊技球Ｐを発射することにより遊技を行うパチンコ遊技機１であって、盤面板２００と、遊技領域１０を囲むように盤面板２００に取付けられ、遊技球Ｐを案内する内レール５０１と、を備え、内レール５０１は、盤面板２００に固定される固定部５０４Ｔ，５０４Ｕと、盤面板２００に固定されない部位であって可撓性を有する非固定部５０５Ａ〜５０５Ｃと、を備えてなり、非固定部５０５Ａ〜５０５Ｃは、突部５０７Ａ〜５０７Ｆを有し、盤面板２００側には、突部５０７Ａ〜５０７Ｆが当接可能な凹部２０７Ａ〜２０７Ｆが設けられ、内レール５０１を盤面板２００に取付けた状態において、突部５０７Ａ〜５０７Ｆの側端面と凹部２０７Ａ〜２０７Ｆの内周面との間に空隙Ｓが形成される。
【０１０８】
このようにすることで、遊技球Ｐが内レール５０１に衝突したときに、突部５０７Ａ〜５０７Ｆが凹部２０７Ａ〜２０７Ｆ内で移動でき、非固定部５０５Ａ〜５０５Ｃが撓むことにより衝撃が吸収されることで内レール５０１の破損を抑制できるとともに、突部５０７Ａ〜５０７Ｆの側端面が凹部２０７Ａ〜２０７Ｆの内周面に当接することにより、内レール５０１を固定部５０４Ｔ，５０４Ｕのみで固定した形態に比べ、非固定部５０５Ａ〜５０５Ｃが大きく位置ずれすることが防止されるため、遊技球Ｐを安定して案内することができる。
【０１０９】
また、内レール５０１は、右側方に遊技領域１０、左側方に発射球通路４０１を形成するレール部材、つまり、一側方からしか遊技球Ｐが接触しない第１外レール５０２や第２外レール５０３とは異なり、両側方から遊技球Ｐが接触して破損しやすいレール部材であるため、上記のように非固定部５０５Ａ〜５０５Ｃが撓むことにより衝撃が吸収されることで内レール５０１の破損をより好適に抑制できる。
【０１１０】
また、熱等により内レール５０１の合成樹脂材が劣化して突部５０７Ａ〜５０７Ｆの根元近傍が変形した際においても、突部５０７Ａ〜５０７Ｆの側端面と凹部２０７Ａ〜２０７Ｆの内周面との間に空隙Ｓが形成されていることで、突部５０７Ａ〜５０７Ｆに負荷が掛からず突部５０７Ａ〜５０７Ｆの破損を防止できる。
【０１１１】
また、突部５０７Ａ〜５０７Ｆは、凹部２０７Ａ〜２０７Ｆにより盤面板２００の内側に配置されるため、突部５０７Ａ〜５０７Ｆを係止させるための被当接部を盤面板２００の外側（遊技盤面２００Ａ上）に特段形成する必要がない。つまり、被当接部が遊技球Ｐの流下に影響を与えることがない。さらに、突部５０７Ａ〜５０７Ｆの側端面と凹部２０７Ａ〜２０７Ｆの内周面との摺接により発生する粉塵が極力遊技盤面２００Ａに露見しないようにできる。
【０１１２】
また、本実施例では、内レール５０１において最も撓曲変形しやすい非固定部５０５Ａに設けられた突部５０７Ｃ〜５０７Ｅが挿入される凹部２０７Ｃ〜２０７Ｅは、固定部５０４Ｔ，５０４Ｕ近傍に設けられた突部５０７Ａ，５０７Ｂ，５０７Ｅが挿入される凹部２０７Ａ，２０７Ｂ，２０７Ｅに比べ大径に形成されているとともに、突部５０７Ａ，５０７Ｂ，５０７Ｅは、凹部２０７Ａ，２０７Ｂ，２０７Ｅの右側に寄せて配置されているため、非固定部５０５Ａの発射球通路４０１側への移動量を大きくとることができる。これにより、内レール５０１の破損を確実に抑制できる。
【０１１３】
また、内レール５０１を盤面板２００に取付けた状態において、突部５０７Ａ〜５０７Ｆの側端面と凹部２０７Ａ〜２０７Ｆの内周面との間に空隙Ｓが形成されるため、凹部２０７Ａ〜２０７Ｆに対して突部５０７Ａ〜５０７Ｆを挿入し易い。
【０１１４】
また、突部５０７Ａ〜５０７Ｆが凹部２０７Ａ〜２０７Ｆに挿入される構造であるため、突部５０７Ａ〜５０７Ｆの側端面が凹部２０７Ａ〜２０７Ｆの内周面に当接することにより、非固定部５０５Ａが大きく位置ずれすることが防止される。つまり、突部５０７Ａ〜５０７Ｆが凹部２０７Ａ〜２０７Ｆ内に挿入されているため、突部５０７Ａ〜５０７Ｆの移動範囲が凹部２０７Ａ〜２０７Ｆ内に収まり、非固定部５０５Ａが大きく位置ずれすることが確実に防止される。
【０１１５】
また、本実施例では、突部５０７Ａ〜５０７Ｆよりも強度の高い内レール５０１の立壁部５１３が第３誘導部材ユニット３０２に当接可能であるため、遊技領域１０内に設けられる構造物である第３誘導部材ユニット３０２を利用して非固定部５０５Ａの撓曲変形を安定して規制できる。
【０１１６】
尚、本実施例では、突部５０７Ｅが第３誘導部材ユニット３０２の近傍に設けられている形態について例示したが、本発明はこれに限定されるものではなく、第３誘導部材ユニット３０２を利用して非固定部５０５Ａの撓曲変形を規制できるため、第３誘導部材ユニット３０２の近傍に突部を設けなくてもよい。これによれば、突部を減らす、または無くすことができるので、内レール５０１の構造を極めて簡素化できる。
【０１１７】
また、本実施例では、立壁部５１３と第３誘導部材ユニット３０２との間に空隙（離間寸法Ｌ５）が形成されるとともに、ファール球Ｐ１が非固定部５０５Ａに衝突することで立壁部５１３が第３誘導部材ユニット３０２に当接するため、立壁部５１３が常に第３誘導部材ユニット３０２に当接しないので、摩耗による劣化を抑制できる。
【０１１８】
また、第３誘導部材ユニット３０２は、内レール５０１を取外さなくても盤面板２００から取外すことができるため、容易に交換することができる。
【０１１９】
また、内レール５０１は、非固定部５０５Ａと該非固定部５０５Ａよりも強度が高い非固定部５０５Ｂ，５０５Ｃ、固定部５０４Ｔ，５０４Ｕとを少なくとも有するため、固定部５０４Ｔ，５０４Ｕや非固定部５０５Ａ〜５０５Ｃに応じた強度を持たせることができる。従って、非固定部５０５Ａに対して、固定部５０４Ｔ，５０４Ｕに近い非固定部５０５Ｂ，５０５Ｃよりも可撓性を大きく持たせて、耐衝撃性を向上させることができる。
【０１２０】
また、内レール５０１における突部５０７Ａ〜５０７Ｆの周囲には、溝部５０９がそれぞれ形成されているため、突部５０７Ａ〜５０７Ｆの側端面と凹部２０７Ａ〜２０７Ｆの内周面との接触によって生じる粉や屑等が溝部５０９内に入り込み、これにより周囲に飛散しにくくなる。
【０１２１】
次に、弾性部材６００の周辺の構造について図１７〜図２１を参照して説明する。図１７は、レール飾り枠の右側部の構造を示す斜視図である。図１８は、（Ａ）はレール飾り枠の右側部の背面図、（Ｂ）は（Ａ）のＧ−Ｇ断面図、（Ｃ）は（Ａ）のＨ−Ｈ断面図である。図１９は、（Ａ）は弾性部材の構成を示す６面図、（Ｂ）は（Ａ）のＩ−Ｉ断面図である。図２０は、（Ａ）は第１外レールの右端部の構成を示す斜視図、（Ｂ）は第１外レールの右端部の他の構成を示す斜視図である。図２１は、（Ａ）はパチンコ遊技機の正面図、（Ｂ）は（Ａ）に示すパチンコ遊技機の平面断面図である。
【０１２２】
レール飾り枠４１０には、弾性部材６００を保持する保持部が形成されている。保持部は、弾性部材６００に穿設された貫通孔６０２に圧入される突出部４２２（図１８（Ｂ）参照）が内側面に形成された板状の第１保持部４２１と、弾性部材６００において遊技球が衝突する被衝突面６０１とは反対側の面である裏側面６０４に対向する第２保持部４２３とを少なくとも備えている。
【０１２３】
第１保持部４２１は、弾性部材６００の貫通孔６０２に該第１保持部４２１の突出部４２２が圧入されることで弾性部材６００を支持するとともに、弾性部材６００に遊技球が衝突した場合でも弾性部材６００の位置がずれないようにしている。また、第１保持部４２１の突出部４２２から引き抜くことで弾性部材６００を取外すことができるので、メンテナンス性が向上する。
【０１２４】
第１保持部４２１の突出部４２２には、突出方向の根本部と先端部との間に段差部４２４が形成されており、弾性部材６００の貫通孔６０２に形成された段差部６０３に係合することにより、遊技球が衝突しても弾性部材６００の位置がずれるのを防止する。
【０１２５】
また、突出部４２２においては、段差部４２４を境界として先端部の径よりも根本部の径が太くなっている。このため、該突出部４２２の耐久性を高めて丈夫にすることができ、該突出部４２２の折損を防止できる。
【０１２６】
また、第１保持部４２１は、内側面（後面）に突出部４２２が形成された板状部４２５を有し、この板状部４２５の外側面（前面）には、突出部４２２に対応する部分から突出部４２２の内部に向かって凹設された凹部４２６が形成されている。この凹部４２６を設けて突出部４２２の内部を肉抜き成形することで、該突出部４２２の耐久性を向上できる。また、第１保持部４２１の前面には、シール部材が貼付されることで、第１保持部４２１の前面に形成された凹部４２６の前面開口が閉塞されるようになっている。
【０１２７】
第２保持部４２３は、弾性部材６００の裏側面６０４に設けられた段差部６０５に係合する被係合部４２７を有している。このため、遊技球が衝突するなどして弾性部材６００に衝撃が与えられても、該弾性部材６００の位置がずれたり、該弾性部材６００が貫通孔６０２に圧入された突出部４２２を中心として回転したりするのを防止できる。
【０１２８】
また、弾性部材６００が保持部（第１保持部４２１及び第２保持部４２３）に取付けられ、該保持部を有するレール飾り枠４１０が遊技盤２に取付けられた状態においては、図１８（Ｂ）に示すように、弾性部材６００と遊技盤２との間に間隙２６が形成される。この間隙２６を有することで、弾性部材６００に遊技球が衝突した衝撃が遊技盤２に伝播するのを防止している。
【０１２９】
弾性部材６００は、図１９に示すように、略直方体状に形成されており、貫通孔６０２の形状である円筒形状の中心と被衝突面６０１との距離Ｌ１は、貫通孔６０２の形状である円筒形状の中心と裏側面６０４との距離Ｌ２よりも長くなっている。これにより、被衝突面６０１に遊技球が衝突した衝撃を距離Ｌ１の範囲にある弾性部材６００の弾性体で十分に吸収することができる。
【０１３０】
また、弾性部材６００は、保持部（第１保持部４２１及び第２保持部４２３）により保持された状態において、少なくとも被衝突面６０１が第１保持部４２１の端部から突出している（図６参照）。このため、打球発射装置（図示略）から発射された遊技球が所定以上の勢いで第１外レール５０２に沿って飛んでくると、弾性部材６００の被衝突面６０１に必ず衝突するようになり、第１保持部４２１には衝突しないので、第１保持部４２１の損傷を防止できる。
【０１３１】
また、被衝突面６０１は、図１８（Ａ）に示すように、保持部（第１保持部４２１及び第２保持部４２３）により保持された状態において、被衝突面６０１が第１外レール５０２の所定点における接線に対し垂直な法線Ｔ１に対し遊技領域１０の中央部側へ向けて開放するように所定角度θ１傾くとともに、遊技盤面２００Ａに対し垂直な垂線Ｔ２に対し遊技盤面２００Ａ側へ向けて所定角度θ２傾く傾斜面として形成されている。
【０１３２】
よって、第１外レール５０２に沿って移動してきた遊技球Ｐが保持部（第１保持部４２１及び第２保持部４２３）により保持された被衝突面６０１に衝突したとき、該遊技球Ｐを第１外レール５０２から離れる方向へ向けて遊技盤面２００Ａ側へ跳ね返す。よって、弾性部材６００の下方に広がる遊技領域１０において第１外レール５０２から離れた位置に設けられた通過ゲート４１や一般入賞口４０１Ｃへ誘導することができるとともに、跳ね返った遊技球Ｐが第１外レール５０２に沿って移動してきた後続の遊技球Ｐと衝突して後続球の流下に影響を及ぼすことを回避できる。また、跳ね返った遊技球Ｐがガラス窓５０ａへ衝突してガラス窓５０ａを傷付けることを回避できる。
【０１３３】
このように弾性部材６００は、保持部（第１保持部４２１及び第２保持部４２３）により保持された状態における被衝突面６０１の傾きや反発力等に応じて遊技球Ｐの跳ね返り角度や速度に影響が及ぶものであるため、保持された状態で傾きが変わることがあると跳ね返された遊技球Ｐの流下経路にも影響を及ぼす部材である。
【０１３４】
また、弾性部材６００における貫通孔６０２の開口周縁は、面取りされている。これにより、弾性部材６００の向き（表裏）を間違えることがなくなるととともに、該貫通孔６０２に対してレール飾り枠４１０の第１保持部４２１の突出部４２２が挿入容易となる。
【０１３５】
また、弾性部材６００においては、前述したように、貫通孔６０２の形状である円筒形状の中心と被衝突面６０１との距離Ｌ１が、貫通孔６０２の形状である円筒形状の中心と裏側面６０４との距離Ｌ２よりも長くなっている。このため、レール飾り枠４１０に対して弾性部材６００を取付けるときの向きを間違えることがなくなる。
【０１３６】
また、弾性部材６００において、貫通孔６０２は、略直方体状の６つの面のうちの１の面とこれに対向する１の面とを貫いた孔として穿設されており、この貫通孔６０２に挿入される第１保持部４２１の突出部４２２は、その端部が少なくとも貫通孔６０２の中間地点かあるいはこれよりも奥側に達している。これにより、遊技球が衝突したときの衝撃の吸収性を高めることができる。尚、弾性部材６００に穿設される孔は、貫通孔に限るものではなく、貫通していない穴であってもよい。
【０１３７】
第１外レール５０２の右側の先端部には、図２０に示すように、発生した静電気を逃がすためのアース７１１が形成されている。また、第１外レール５０２におけるアース７１１の近傍には、円弧状の第１外レール５０２の外側に向かって湾曲した曲状部７１２が形成されている。この曲状部７１２を有することにより、第１外レール５０２のアース７１１をレール飾り枠４１０の裏面側に嵌め込む作業が容易となる。例えば、レール飾り枠４１０の左下部に第１外レール５０２の左下部を嵌合し、レール飾り枠４１０の内側面に第１外レール５０２を沿わせていき、アース７１１をレール飾り枠４１０の右上部における背面側に嵌め込むときに、曲状部７１２を曲げるなどして、そのアース７１１の向きを微調整しながらレール飾り枠４１０の右上部における背面側の所定位置に嵌め込むことができる（図１８（Ａ）参照）。
【０１３８】
また、図１８（Ｃ）に示すように、第１外レール５０２と弾性部材６００とは、レール飾り枠４１０に取付けられた状態において互いに所定の隙間を隔てて配置されている。よって、例えば、第１外レール５０２に沿って遊技球Ｐが移動することにより生じる振動が弾性部材６００に伝達されて遊技球Ｐの跳ね返り角度や速度等に影響を及ぶことがないようにしている。また、弾性部材６００に遊技球Ｐが衝突することにより生じる振動が第１外レール５０２に伝達されて第１外レール５０２に沿って移動する遊技球Ｐの流下経路に影響を及ぼすことが回避される。
【０１３９】
また、弾性部材６００は、レール飾り枠４１０に取付けられた状態において第１外レール５０２の端部に形成された曲状部７１２の近傍位置に近接した状態で設けられている。つまり、図１８（Ａ）に示すように、第１外レール５０２は、弾性部材６００に沿って配置されているが、曲状部７１２が設けられていることにより一部が弾性部材６００から離れて配置されるため、弾性部材６００における第１外レール５０２側の面を第２保持部４２３の一部により第１外レール５０２側から覆うように保持することができるため、弾性部材６００を安定して支持できる。
【０１４０】
尚、図１７に示すように、アース７１１は、第１外レール５０２の背面側に取付けられた状態において、その一部が第１外レール５０２に形成された孔部５０７を介して前面側に突出するようになっており、該突出した部分は、ガラス扉枠５０を閉鎖したときに該ガラス扉枠５０の背面に設けられたアース部材（図示略）に接触するようになっている。
【０１４１】
また、図２０（Ｂ）に示すように、第１外レール５０２の曲状部７１２には、湾曲する方向に沿ってスリット７１３を穿設することができる。このスリット７１３を穿設することにより、レール飾り枠４１０の右上部における背面側にアース７１１を嵌め込むときに、アース７１１の向きを微調整することが容易となる。
【０１４２】
レール飾り枠４１０の右側部端部と第２外レール５０３の上端部とを接合する部分においては、図２１（Ａ）に示すように、レール飾り枠４１０の右側部端部において前面側から背面側に向かって凹設された被係合部４２０に対し、第２外レール５０３の上端部において前面側から背面側に向かって突設された係合部５３０が嵌合するようになっている。これにより、レール飾り枠４１０は、第２外レール５０３により前方から後方へ押えられた状態となるので、該レール飾り枠４１０の安定性が向上する。
【０１４３】
このように構成された遊技盤２にあっては、遊技球が衝突する弾性部材６００がレール飾り枠４１０の保持部（第１保持部４２１及び第２保持部４２３）に保持される。そして、このレール飾り枠４１０が複数のネジＮ１を用いて盤面板２００に螺着固定されることで、弾性部材６００が盤面板２００における所定位置に配置される。すなわち、弾性部材６００は、レール飾り枠４１０を介して盤面板２００の所定位置に設けられる。
【０１４４】
そして、盤面板２００にレール飾り枠４１０に取付けた後、第２外レール５０３が盤面板２００に複数のネジＮ２により取付けられることで、第２外レール５０３の係合部５３０がレール飾り枠４１０の被係合部４２０に係合し、レール飾り枠４１０の右下端部が第２外レール５０３により前面側から押えられることで、レール飾り枠４１０が盤面板２００に保持される。
【０１４５】
さらに、レール飾り枠４１０、第２外レール５０３、内レール５０１が盤面板２００に取付けられた遊技盤２を遊技機用枠３に組付け、レール飾り枠４１０の右上端部が盤押え金具１６２ａのレール押え片１７４により前面側から押えられることで、レール飾り枠４１０が盤面板２００に保持される。
【０１４６】
このように、弾性部材６００を保持するレール飾り枠４１０を盤面板２００に取付けることで、弾性部材６００が遊技領域１０の所定位置に保持されるとともに、遊技盤２を遊技機用枠３に組付け、レール飾り枠４１０の複数箇所が第２外レール５０３及びレール押え片１７４により前面側から押えられることで、このレール飾り枠４１０の安定性が向上するため、該レール飾り枠４１０により保持されている弾性部材６００の保持位置からの位置ずれが抑制される。
【０１４７】
尚、位置ずれとは、弾性部材６００の保持位置から前側への位置ずれ、つまり、盤面板２００の遊技盤面２００Ａから離れる方向への位置ずれや、突出部４２２を中心として回動する方向への位置ずれや、遊技盤面２００Ａに沿う方向への位置ずれ等も含む。
【０１４８】
また、第２外レール５０３及び盤押え金具１６２ａのレール押え片１７４は、ガラス扉枠５０を開放した状態でレール飾り枠４１０を盤面板２００に保持する第２保持体として機能する。尚、特に図示しないが、ガラス扉枠５０のガラス窓５０ａは、閉鎖位置にあるときにレール飾り枠４１０の第１保持部４２１の前面に近接または当接するので、閉鎖位置にあるときには第２保持体として機能するが、開放位置にあるときには第２保持体としては機能しない。
【０１４９】
また、パチンコ遊技機１においては、図６に示すように、遊技領域１０におけるセンター飾り枠５２の右側の第２経路Ｋ２に通過ゲート４１や一般入賞口４０１Ｃ及び図示しない複数の障害釘が設けられており、レール飾り枠４１０の第１保持部４２１で保持された弾性部材６００に衝突した遊技球がその衝突により軌道を変えながら第２経路Ｋ２を流下すると、通過ゲート４１を通過し、あるいは一般入賞口４０１Ｃへ進入することがある。前述したように、遊技球が通過ゲート４１を通過すると普通図柄の変動表示が開始され、普通可変入賞球装置６Ｂが開放状態となり第２始動入賞口へ遊技球が入賞すれば、第２特別図柄の変動表示が開始されて大当り遊技状態に制御される可能性がある。また、遊技球が一般入賞口４０１Ｃへ入賞すれば所定数の賞球が得られる。
【０１５０】
すなわち、弾性部材６００に衝突した遊技球が第２経路Ｋ２を流下することで、遊技者にとって有利な価値（例えば、大当り遊技状態や賞球）が付与される可能性がある。ここで、遊技球が第２経路Ｋ２を流下する経路は、弾性部材６００に衝突したときの跳ね返り量や角度によって変化することがある。このため、その弾性部材６００が、遊技球が遊技者にとって有利な方向へ跳ね返るように形成された不正な弾性部材に交換されたり、弾性部材６００の向きを不正に変更されるなどして跳ね返り量等が変えられると、通過ゲート４１を通過したりあるいは一般入賞口４０１Ｃへ進入したりする遊技球の数が増加して、遊技者にとって有利な価値が付与される可能性が高くなる虞がある。
【０１５１】
そこで、弾性部材６００を保持する第１保持体であるレール飾り枠４１０の複数個所がネジＮ１で螺着固定されていることで、弾性部材６００を盤面板２００から取外すには複数のネジＮ１を取外す必要が生じる。また、そのレール飾り枠４１０を保持する第２保持体である盤押え金具１６２ａのレール押え片１７４や第２外レール５０３の係合部５３０を備えることで、レール飾り枠４１０を盤面板２００から取外すには、盤押え金具１６２ａによる係止状態を解除したり、第２外レール５０３を盤面板２００から取外したりする必要が生じる。よって、このようにレール飾り枠４１０の取外しを困難にして、弾性部材６００の交換を困難なものとすることで、弾性部材６００に対する不正行為を抑制することができる。
【０１５２】
また、図２１（Ａ）、（Ｂ）に示すように、パチンコ遊技機１を正面視したときに、第１外レール５０２の左側端部ＬＴは、開放されたガラス扉枠５０の内側面を含む仮想延長面ＧＴよりも左側に位置している。これにより、遊技機用枠３に遊技盤２が組付けられた状態において、第１外レール５０２が取付けられたレール飾り枠４１０を取外そうとする場合には、ガラス扉枠５０を大きく開放しなければならず、また、大きく開放したとしても第１外レール５０２を前側に取外そうとしたときに該第１外レールの左部がガラス扉枠５０に当接する虞があることから、レール飾り枠４１０の取外しが困難になる。これにより、弾性部材６００の交換を困難なものとすることができるので、該弾性部材６００に対する不正行為をより好適に抑制することができる。
【０１５３】
さらに、レール飾り枠４１０は、複数のネジＮ１を用いて遊技盤２に螺着固定されるが、ネジＮ１が挿通されるネジ孔がレール飾り枠４１０の全体に亘って複数箇所に穿設されている。例えば、図２１に示すように、レール飾り枠４１０は、遊技領域１０の左下側から左上側さらには右上側にまで位置しているが、これら左下側、左上側、右上側のそれぞれと、遊技領域１０の上側や左側にもネジ孔が穿設されており、複数のネジＮ１を用いて遊技盤２に螺着固定されている。このため、レール飾り枠４１０を取外し弾性部材６００を交換して遊技球の跳ね返り量や角度を変更する不正行為を行う場合、それら複数のネジＮ１をすべて取外す手間がかかるようになり、不正行為を行う意欲が減衰することから該不正行為の発生を抑制できる。
【０１５４】
このようなパチンコ遊技機１においては、遊技領域に打ち出された遊技媒体が衝突するゴム材等からなる被衝突体を備えるもの等がある。このような被衝突体は、遊技媒体が衝突したときに衝撃を吸収して跳ね返すようになっている。
【０１５５】
この種の遊技機において、例えば、被衝突体を変位可能な状態で保持する保持体を備え、該保持体をネジにより遊技盤に取付けることで被衝突体を遊技盤の所定位置に保持したもの等があった。しかし、このような遊技機にあっては、保持体がネジにより遊技盤に取付けられていることで、被衝突体に遊技媒体が衝突する衝撃が保持体に伝播して該保持体を遊技盤に取付けるネジが緩むなどして保持体の位置ずれが生じると、被衝突体に衝突した遊技媒体の跳ね返り角度等が不安定になり、遊技媒体の入賞率等の遊技性に影響が及ぶ虞があるといった問題があった。
【０１５６】
そこで、被衝突体の位置ずれにより遊技性が損なわれることを抑制できるようにするために、本発明の実施例としてのパチンコ遊技機１にあっては、遊技媒体が衝突する被衝突体である弾性部材６００と、遊技盤２に取付けられ、弾性部材６００を遊技盤２の所定位置に保持するレール飾り枠４１０であるレール飾り枠４１０と、遊技盤２に取付けられたレール飾り枠４１０を保持する第２保持体である盤押え金具１６２ａのレール押え片１７４、第２外レール５０３、ネジＮ１、ガラス扉枠５０と、を備えている。このようにすることで、弾性部材６００を保持するレール飾り枠４１０が遊技盤に取付けられた状態で各第２保持体により保持されることで、レール飾り枠４１０の安定性が向上するため、弾性部材６００の位置ずれにより遊技性が損なわれることを抑制できる。
【０１５７】
また、本実施例では、レール飾り枠４１０は、各第２保持体による保持状態を解除すること、例えば、ガラス扉枠５０を開放し、盤押え金具１６２ａと第２外レール５０３とネジＮ１とを取外すことをしない限り、遊技盤２から取外すことができないこととしている。このようにすることで、レール飾り枠４１０が遊技盤２から容易に取外されることを抑制できる。
【０１５８】
また、本実施例では、レール飾り枠４１０は、弾性部材６００の保持位置からの位置ずれを規制する規制部であるレール飾り枠４１０の第１保持部４２１の板状部４２５及び突出部４２２を有している。このようにすることで、レール飾り枠４１０に対し弾性部材６００が位置ずれして遊技性が損なわれることを抑制できるとともに、該弾性部材６００が外しにくくなっているので、該弾性部材６００を不正に交換する行為を抑制できる。
【０１５９】
また、本実施例では、規制部は、弾性部材６００を保持した状態において該弾性部材６００が当接する当接面であって、互いに向きが異なる複数の当接面であるレール飾り枠４１０の第１保持部４２１における板状部４２５の内側面（後面）と、第２保持部４２３において弾性部材６００に当接する面から構成されている。このようにすることで、被衝突体を向きが異なる複数の当接面で押えることができるので、該被衝突体の位置ずれを好適に抑制できる。特に、図１８（Ａ）に示すように、第１外レール５０２に沿って移動してきた遊技球Ｐが被衝突面６０１に衝突する場合と、第１外レール５０２から若干離れた位置を移動してきた遊技球Ｐが被衝突面６０１に衝突する場合とで、被衝突面６０１に衝突する位置が異なり、このような衝突位置のずれにより弾性部材６００が突出部４２２を中心として回動することにより生じる位置ずれが防止される。
【０１６０】
また、本実施例では、レール飾り枠４１０は、弾性部材６００に形成された挿入孔である貫通孔６０２に挿入される保持用ピンであるレール飾り枠４１０の第１保持部４２１の突出部４２２を有し、突出部４２２は、基部側である突出方向の根本部の外径が先端部側である先端部の外径よりも大きくなっている。このようにすることで、弾性部材６００に生じる衝撃に対する保持用ピンの耐久性を高めることができる。
【０１６１】
また、本実施例では、レール飾り枠４１０は、弾性部材６００に形成された挿入孔である貫通孔６０２に挿入される保持用ピンであるレール飾り枠４１０の第１保持部４２１の突出部４２２を有し、突出部４２２の内部には中空部である凹部４２６が形成されている。このようにすることで、突出部４２２の強度が高まるので、耐久性が向上する。
【０１６２】
また、本実施例では、弾性部材６００は、少なくとも遊技球が衝突する衝突部である被衝突面６０１がレール飾り枠４１０の外側に位置するように該レール飾り枠４１０により保持されている。このようにすることで、レール飾り枠４１０に遊技球が衝突して該レール飾り枠４１０が破損することを抑制できる。
【０１６３】
また、本実施例では、遊技球が内レール５０１に衝突したときに、非固定部が撓むことにより衝撃が吸収されることで内レール５０１の破損を抑制できるとともに、当接部が被当接部に当接することにより非固定部が大きく位置ずれすることが防止されるため、遊技球を安定して案内することができる。また、被衝突体である弾性部材６００を保持するレール飾り枠４１０が遊技盤２に取付けられた状態でレール押え片１７４、第２外レール５０３、ガラス扉枠５０等により保持されることで、レール飾り枠４１０の安定性が向上するため、弾性部材６００の位置ずれにより遊技性が損なわれることを抑制できる。
【０１６４】
このように、遊技領域１０を形成する内レール５０１、第１外レール５０２、第２外レール５０３といったレール部材及び該レール部材により案内された遊技球が衝突する弾性部材６００は、遊技盤２に対し位置ずれしにくいので遊技球を安定して案内することができる。
【０１６５】
以上、本発明の実施例を図面により説明してきたが、具体的な構成はこれら実施例に限られるものではなく、本発明の要旨を逸脱しない範囲における変更や追加があっても本発明に含まれる。
【０１６６】
例えば、前記実施例では、レール部材として内レール５０１を例示し、内レール５０１の非固定部５０５Ａ〜５０５Ｃに当接部としての突部５０７Ａ〜５０７Ｆが形成された形態について説明したが、本発明はこれに限定されるものではなく、第１外レール５０２や第２外レール５０３の非固定部にも当接部を設けてもよい。
【０１６７】
また、このように第１外レール５０２にも非固定部を設けて撓曲変形可能とするとともに、該非固定部に当接部としての突部を形成した場合であっても、図１８（Ｃ）に示すように、第１外レール５０２と弾性部材６００とは所定の隙間を隔てて配置されていることで、遊技球Ｐの接触などにより第１外レール５０２が撓曲変形してもその振動が弾性部材６００に伝達されることがないので、弾性部材６００における遊技球Ｐの跳ね返り角度や速度等に影響を及ぶことがない。また、第１外レール５０２の端部は、遊技盤面２００Ａに対してレール飾り枠４１０を複数のネジＮ１で固定することにより取付けられるため、第１外レール５０２を撓曲変形可能とした場合であっても遊技盤面２００Ａから外れることが防止される。
【０１６８】
また、前記実施例では、非固定部５０５Ａ〜５０５Ｃと突部５０７Ａ〜５０７Ｆとが射出成形により一体的に形成される形態を例示したが、本発明はこれに限定されるものではなく、非固定部５０５Ａ〜５０５Ｃと突部５０７Ａ〜５０７Ｆとが着脱可能に別体になっていてもよい。
【０１６９】
また、前記実施例では、突部５０７Ｃ〜５０７Ｅは、凹部２０７Ｃ〜２０７Ｅの右側に寄せて配置されている形態について例示したが、本発明はこれに限定されるものではなく、例えば、突部５０７Ｃ〜５０７Ｅを凹部２０７Ｃ〜２０７Ｅの中央に配置してもよい。つまり、凹部２０７Ａ〜２０７Ｆに対する突部５０７Ａ〜５０７Ｆの位置等は、遊技球が衝突する方向や強さ等に合わせて自由に設定してよい。尚、突部５０７Ａ〜５０７Ｆの大きさ（直径）や内レール５０１に対する位置、または突部５０７Ａ〜５０７Ｆの側端面と凹部２０７Ａ〜２０７Ｆの内周面との間に形成される空隙の大きさ等も自由に設定してよい。
【０１７０】
また、前記実施例では、突部５０７Ａ〜５０７Ｆの側端面と凹部２０７Ａ〜２０７Ｆの内周面との間に中空の空隙Ｓが形成されていたが、本発明はこれに限定されるものではなく、空隙Ｓに緩衝材などを充填して突部５０７Ａ〜５０７Ｆにかかる負荷を減らすとともに、突部５０７Ａ〜５０７Ｆの側端面と凹部２０７Ａ〜２０７Ｆの内周面との摺接による粉塵を減らしてもよい。
【０１７１】
また、前記実施例では、内レール５０１の非固定部５０５Ａ〜５０５Ｃに突部５０７Ａ〜５０７Ｆが形成され、盤面板２００に凹部２０７Ａ〜２０７Ｆが形成された形態について説明したが、本発明はこれに限定されるものではなく、非固定部５０５Ａ〜５０５Ｃに凹部を設け、盤面板２００に突部を設けてもよい。また、凹部は、有底のスリットや貫通孔等であっても構わない。
【０１７２】
また、前記実施例では、突部５０７Ａ〜５０７Ｆは、強度を持たせるために平面視略十字形状を成していたが本発明はこれに限定されるものではなく、円柱状や断面矩形の柱状、球形状等であっても構わない。
【０１７３】
また、前記実施例では、突部５０７Ａ〜５０７Ｆを当接部とし、凹部２０７Ａ〜２０７Ｆを被当接部とする形態と、内レール５０１の立壁部５１３を当接部とし、第３誘導部材ユニット３０２を被当接部とする形態と、を例示したが、本発明はこれに限定されるものではなく、いずれか一方のみの形態を備えていればよい。また、構造物として、第３誘導部材ユニット３０２を例示したが、構造物は内レール５０１の近傍に設けられる釘や一般入賞口を構成する部材等であってもよい。
【０１７４】
また、前記実施例では、内レール５０１の係止爪５０１ａの正面側から、ラベル貼付部５２０を有する第２外レール５０３の係止溝５０３ａを係止させることで、レール部材である内レール５０１を取外さなくても第２外レール５０３を盤面板２００から取外すことができる形態について例示したが、本発明はこれに限定されるものではなく、例えば、ラベル貼付部５２０を有する第２外レール５０３の係止溝５０３ａの正面側から内レール５０１の係止爪５０１ａを係止させることで、レール部材である内レール５０１を取外さなければ第２外レール５０３を盤面板２００から取外すことができないようにしてもよい。つまり、第３誘導部材ユニット３０２などの第１構造物については、内レール５０１を取外さなくても盤面板２００から容易に取外して交換することができるようにする一方で、不正の対象となるラベルが貼付されるラベル貼付部５２０を有する第２外レール５０３など取外しを困難化したい第２構造物については、レール部材を利用して盤面板２００から取外すことを困難化することで、不正なラベルが貼付された第２外レールに交換されてしまうことを抑制できる。
【０１７５】
尚、前記実施例では、盤面板２００がアクリル樹脂、ポリカーボネート樹脂、メタクリル樹脂等の透光性を有する合成樹脂材により形成される形態を例示したが、本発明はこれに限定されるものではなく、盤面板はベニヤ等の木材により形成されてもよい。盤面板がベニヤ製の場合であっても、凸部５１０が遊技盤面に当接するので、遊技盤面と内レール５０１との摩擦により盤面板から木屑等が発生することを抑制できる。
【０１７６】
また、前記実施例では、内レール５０１の長手方向両端近傍に固定部５０４Ｔ，５０４Ｕが設けられ、固定部５０４Ｔ，５０４Ｕ間に非固定部５０５Ａが設けられ、固定部５０４Ｔ，５０４Ｕよりも外側に非固定部５０５Ｂ，５０５Ｃが設けられた形態について例示したが、本発明はこれに限定されるものではなく、固定部以外の部位が非固定部となっており、且つ非固定部の可撓性が固定部よりも高ければ、固定部及び非固定部の場所や数は自由に設定してもよい。尚、固定部も可撓性を有していてもよい。
【０１７７】
また、前記実施例では、構造物に当接する当接部として内レール５０１の立壁部５１３を例示したが、本発明はこれに限定されるものではなく、フランジ部等の内レールにおける他の部位でもよい。
【０１７８】
また、前記実施例では、被衝突体の一例として、ゴム材からなる弾性部材６００を適用した形態を例示したが、本発明はこれに限定されるものではなく、被衝突体は弾性体に限定されるものではなく、例えば、合成樹脂材にて構成されていてもよい。
【０１７９】
また、前記実施例では、弾性部材６００を遊技盤２の所定位置に保持する第１保持体として、レール飾り枠４１０を適用した形態を例示したが、本発明はこれに限定されるものではなく、第２外レール５０３や内レール５０１等の他のレール部材であってもよい。また、レール部材だけでなく、例えば、弾性部材６００を保持するためだけに設けられた部材であってもよい。さらに、センター飾り枠５２、第１誘導部材ユニット３００、第２誘導部材ユニット３０１、第３誘導部材ユニット３０２など遊技球が頻繁に衝突し得る部材であればよい。尚、センター飾り枠５２とする場合、例えば、弾性部材６００を左上部（所謂ぶっこみ位置）に設け、遊技領域１０に進入した遊技球が衝突し得るように設けることが考えられる。
【０１８０】
また、前記実施例では、遊技盤２に取付けられたレール飾り枠４１０を保持する第２保持体として、盤押え金具１６２ａや第２外レール５０３を適用した形態を例示したが、本発明はこれに限定されるものではなく、例えば、他のレール部材を適用してもよいし、センター飾り枠５２や第１誘導部材ユニット３００、第２誘導部材ユニット３０１、第３誘導部材ユニット３０２といった遊技球の誘導部材等を適用してもよい。
【０１８１】
また、前記実施例では、遊技盤２に取付けられたレール飾り枠４１０を保持する第２保持体としての盤押え金具１６２ａや第２外レール５０３は、レール飾り枠４１０を前方から遊技盤面２００Ａ側へ向けて押えるように保持する部材であったが、本発明はこれに限定されるものではなく、レール飾り枠４１０の側面における複数個所を側方から支持するように保持する部材であってもよい。
【０１８２】
また、前記実施例では、遊技盤２に取付けられたレール飾り枠４１０を保持する第２保持体としての盤押え金具１６２ａや第２外レール５０３は、レール飾り枠４１０に当接して保持する部材とされていたが、本発明はこれに限定されるものではなく、レール飾り枠４１０に近接して配置され、所定以上の位置ずれが生じないように保持する部材であってもよい。
【０１８３】
また、前記実施例では、レール飾り枠４１０を遊技盤２に取付けるためのネジＮ１は、盤押え金具１６２ａや第２外レール５０３による保持状態を解除しなくても取外すことができる形態を例示したが、本発明はこれに限定されるものではなく、盤押え金具１６２ａや第２外レール５０３による保持状態を解除しなければ取外すことができないように設けられていてもよい。
【０１８４】
また、前記実施例では、盤押え金具１６２ａや第２外レール５０３による保持状態を解除しなければレール飾り枠４１０を遊技盤２から取外すことができない形態を例示したが、本発明はこれに限定されるものではなく、盤押え金具１６２ａや第２外レール５０３による保持状態を解除しなくても、ネジＮ１さえ取外せばレール飾り枠４１０を遊技盤２から取外すことができるようにしてもよい。
【０１８５】
また、前記実施例では、レール飾り枠４１０を盤面板２００に螺着固定するための複数のネジＮ１は同一種類のものであったが、本発明はこれに限定されるものではなく、異なる種類のもの、例えばプラスのネジとマイナスのネジを併用するようにしてもよい。これにより、これら複数のネジＮ１を取外すために複数の工具が必要となり手間がかかることから、弾性部材６００を交換しようとする不正行為を抑制できる。
【０１８６】
また、前記実施例では、レール飾り枠４１０とセンター飾り枠５２とを別の部材で成型する構成としたが、本発明はこれに限定されるものではなく、図２２の変形例１に示すように、飾り枠８００として一体で成型してもよい。すなわち、遊技球の移動する通路８１０において遊技盤２に沿って設けられた板状の側面部８１１を介して、センター飾り枠５２とレール飾り枠４１０が繋がった形状としてもよい。このような形状を有する飾り枠８００を設けることにより、部品を大型化して弾性部材６００の位置がずれるのを防止するとともに、飾り枠８００においてレール飾り枠４１０に相当する部分４１０’とセンター飾り枠５２に相当する部分５２’との間にて遊技球が通過する通路８１０の形状を安定させることができ、レール飾り枠４１０に相当する部分４１０’と通路８１０との位置関係がずれることで遊技性が損なわれることを抑制できる。
【０１８７】
また、飾り枠８００においては、通路８１０の側面部８１１からレール飾り枠４１０に相当する部分４１０’につながる部分において弾性部材６００に対向する面に突部８１２を形成し、該突部８１２を弾性部材６００に穿設された凹部６０８に圧入することで該弾性部材６００を取付けるようにしてもよい。このように弾性部材６００の凹部６０８に突部８１２を圧入することで、該弾性部材６００の位置ずれを防止できる。
【０１８８】
また、前記実施例では、弾性部材６００の形状を略直方体状としたが、略直方体状に限るものではなく、例えば、立方体形状など、線対称や点対称の形状に形成してもよい。例えば、図２３の変形例２に示すように、立方体状に形成された弾性部材６００は、貫通孔６０２が穿設されていない４つの面をそれぞれ被衝突面６０１とし、１の被衝突面６０１が摩耗したときに該弾性部材６００の向きを変えて他の被衝突面６０１を遊技球が衝突する面とすることとしてもよい。これにより、弾性部材６００の一部に不正行為がなされたとしても、該弾性部材６００の向きを変えることで、その不正行為による効果が生じないようにすることができる。また、１つの弾性部材６００を長期間使用できる。
【０１８９】
また、弾性部材６００において貫通孔６０２に対し直交する面（例えば、上面）において、貫通孔６０２に対し平行な複数の被衝突面６０１のいずれかに対応する個所に所定のマーク部６１０を設けることが好ましい。このようにすることで、該マーク部６１０に対応する被衝突面６０１を基準として使用すれば、いずれの被衝突面６０１を使用したか分かりやすくなる。また、レール飾り枠４１０に対するマーク部６１０の配置位置を決定しておけば、レール飾り枠４１０に対するマーク部６１０の配置位置が変わったときに不正行為が行われた可能性があることを特定しやすくなる。
【０１９０】
尚、マーク部６１０は、着色したり凹設したりするなどして設けてもよいし、あるいは、弾性部材６００を金型成型にて製造する場合、エジェクタピンにより押出すことで型抜きする際に形成されるエジェクタピン跡等を利用して用いてもよい。
【０１９１】
また、図２４の変形例３に示すように、レール飾り枠４１０の第２保持部４２３には、弾性部材６００の背面６０６（弾性部材６００において第１保持部４２１に対向する面とは反対側の面）に係合する係合突部４２８を形成してもよい。これにより、弾性部材６００の位置ずれを防止できる。
【０１９２】
また、図２４に示すように、弾性部材６００の背面６０６に、該背面６０６から突設されて遊技盤２に当接する当接部６０７を形成してもよい。これにより、弾性部材６００の位置ずれを防止できる。
【０１９３】
また、前記実施例では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。尚、これら封入式遊技機においては遊技球ではなく得点やポイントが遊技者に付与されるので、これら付与される得点やポイントが遊技価値に該当する。
【０１９４】
また、前記実施例では、遊技媒体の一例として、球状の遊技球（パチンコ球）が適用されていたが、球状の遊技媒体に限定されるものではなく、例えば、メダル等の非球状の遊技媒体であってもよい。
【０１９５】
また、前記実施例では、遊技機の一例としてパチンコ遊技機が適用されていたが、例えば遊技用価値を用いて１ゲームに対して所定数の賭数を設定することによりゲームが開始可能となるとともに、各々が識別可能な複数種類の図柄を変動表示可能な変動表示装置に変動表示結果が導出されることにより１ゲームが終了し、該変動表示装置に導出された変動表示結果に応じて入賞が発生可能とされたスロットマシンにも適用可能である。
【符号の説明】
【０１９６】
１        パチンコ遊技機
５０      ガラス扉枠
１６２ａ  盤押え金具
１７４    レール押え片
４１０    レール飾り枠
４２１    第１保持部
４２２    突出部
４２３    第２保持部
５０１              内レール
５０４Ｔ，５０４Ｕ  固定部
５０５Ａ，５０５Ｂ，５０５Ｃ  非固定部
５０６Ｔ，５０６Ｕ  ネジ孔
５０７Ａ〜５０７Ｆ  突部
５０９              溝部
５１０              凸部
５１１              小穴
５１２              フランジ部
５１３              側壁部
６００    弾性部材
６０１    被衝突面
６０２    貫通孔
【図１】
0006600600.tif 000002
【図２】
0006600600.tif 000003
【図３】
0006600600.tif 000004
【図４】
0006600600.tif 000005
【図５】
0006600600.tif 000006
【図６】
0006600600.tif 000007
【図７】
0006600600.tif 000008
【図８】
0006600600.tif 000009
【図９】
0006600600.tif 000010
【図１０】
0006600600.tif 000011
【図１１】
0006600600.tif 000012
【図１２】
0006600600.tif 000013
【図１３】
0006600600.tif 000014
【図１４】
0006600600.tif 000015
【図１５】
0006600600.tif 000016
【図１６】
0006600600.tif 000017
【図１７】
0006600600.tif 000018
【図１８】
0006600600.tif 000019
【図１９】
0006600600.tif 000020
【図２０】
0006600600.tif 000021
【図２１】
0006600600.tif 000022
【図２２】
0006600600.tif 000023
【図２３】
0006600600.tif 000024
【図２４】
0006600600.tif 000025